(57)【特許請求の範囲】
【請求項１】
ユーザ機器（ＵＥ）によるワイヤレス通信のための方法であって、
可能な構成のセットから、前記ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信することと、
仮想セル識別情報に少なくとも部分的に基づいてアップリンク送信のための時間を選択することと、
前記構成に従って通信することと、
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けることと、
前記優先順位付けに従ってＣＳＩをレポートすることと
を備える、方法。
【請求項２】
前記構成は、２つ以上のＣＣ上のＣｏＭＰ動作を可能にする、
請求項１に記載の方法。
【請求項３】
前記構成は、ＣｏＭＰ動作を単一のＣＣに制限する、
請求項１に記載の方法。
【請求項４】
前記単一のＣＣは、プライマリコンポーネントキャリア（ＰＣＣ）とセカンダリコンポーネントキャリア（ＳＣＣ）とのうちの少なくとも１つである、
請求項３に記載の方法。
【請求項５】
前記構成は、前記ＵＥがＣｏＭＰまたはキャリアアグリゲーション（ＣＡ）のうちの１つのみを利用して通信すべきであることを示す、
請求項１に記載の方法。
【請求項６】
構成可能チャネル状態情報（ＣＳＩ）レポートの数の指示を受信することをさらに備える、
請求項１に記載の方法。
【請求項７】
構成可能ＣＳＩレポートの前記数は、ＣＣ当たり１つに制限される、
請求項６に記載の方法。
【請求項８】
構成可能ＣＳＩレポートの前記数は、ＣｏＭＰを用いて構成されたＣＣについて制限される、
請求項６に記載の方法。
【請求項９】
ＣｏＭＰを用いて構成されない前記ＣＣのうちの少なくとも１つがＣＳＩフィードバックの目的のために干渉測定リソースを用いて構成されたことを示すシグナリングを受信することをさらに備える、
請求項３に記載の方法。
【請求項１０】
非周期チャネル状態情報（ＣＳＩ）レポートのための１つまたは複数のレポートセットを示すシグナリングを受信することと、
前記レポートセットのうちの少なくとも１つに従ってＣＳＩをレポートすることと
をさらに備える、請求項１に記載の方法。
【請求項１１】
各レポートセットは、キャリアアグリゲーションレポートのためのＣＣと、ＣｏＭＰレポートのためのＣｏＭＰ  ＣＳＩレポート構成との組合せを識別する、
請求項１０に記載の方法。
【請求項１２】
前記シグナリングは、マルチビットトリガフィールドを備える、
請求項１０に記載の方法。
【請求項１３】
レポートセットは、ＣＣまたは仮想セル識別情報に少なくとも部分的に基づく、
請求項１０に記載の方法。
【請求項１４】
前記優先順位付けは、レポートタイプ、ＣＣインデックス、またはＣｏＭＰ  ＣＳＩ構成インデックスのうちの少なくとも１つに従って行われる、
請求項１に記載の方法。
【請求項１５】
アップリンク電力優先順位付けを判定することと、
前記アップリンク電力優先順位付けに基づいて送信電力を調整することと
をさらに備える、請求項１に記載の方法。
【請求項１６】
前記アップリンク電力優先順位付けを判定することは、アップリンクＣｏＭＰ送信に優先順位を与えることを備える、
請求項１５に記載の方法。
【請求項１７】
仮想セルＩＤに少なくとも部分的に基づいて送信ポイントホッピングパラメータを判定することをさらに備える、
請求項１に記載の方法。
【請求項１８】
基地局（ＢＳ）によるワイヤレス通信のための方法であって、
可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、
仮想セル識別情報に少なくとも部分的に基づいてアップリンク送信を一度に受信することと、
前記ＵＥに前記構成の指示をシグナリングすることと、
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けることと、
前記優先順位付けに従ってＣＳＩを受信することと
を備える、方法。
【請求項１９】
前記構成は、２つ以上のＣＣ上のＣｏＭＰ動作を可能にする、
請求項１８に記載の方法。
【請求項２０】
前記構成は、ＣｏＭＰ動作を単一のＣＣに制限する、
請求項１８に記載の方法。
【請求項２１】
前記単一のＣＣは、プライマリコンポーネントキャリア（ＰＣＣ）とセカンダリコンポーネントキャリア（ＳＣＣ）とのうちの少なくとも１つである、
請求項２０に記載の方法。
【請求項２２】
前記構成は、前記ＵＥがＣｏＭＰまたはキャリアアグリゲーション（ＣＡ）のうちの１つのみを利用して通信すべきであることを示す、請求項１８に記載の方法。
【請求項２３】
構成可能チャネル状態情報（ＣＳＩ）レポートの数の指示を送信すること
をさらに備える、請求項１８に記載の方法。
【請求項２４】
前記構成可能ＣＳＩレポートの数がＣＣ当たり１つに制限される、請求項２３に記載の方法。
【請求項２５】
前記構成可能ＣＳＩレポートの数が、ＣｏＭＰを用いて構成されたＣＣについて制限される、請求項２３に記載の方法。
【請求項２６】
ＣｏＭＰを用いて構成されない前記ＣＣのうちの少なくとも１つがＣＳＩフィードバックの目的のために干渉測定リソースを用いて構成されたことを示すシグナリングを送信することをさらに備える、
請求項２０に記載の方法。
【請求項２７】
周期チャネル状態情報（ＣＳＩ）レポートのための１つまたは複数のレポートセットを示すシグナリングを送信することと、
前記レポートセットのうちの少なくとも１つに従ってＣＳＩを受信することと
をさらに備える、請求項１８に記載の方法。
【請求項２８】
各レポートセットは、キャリアアグリゲーションレポートのためのＣＣと、ＣｏＭＰレポートのためのＣｏＭＰ  ＣＳＩレポート構成との組合せのうちの少なくとも１つを識別する、
請求項２７に記載の方法。
【請求項２９】
前記シグナリングは、マルチビットトリガフィールドを備える、
請求項２７に記載の方法。
【請求項３０】
レポートセットがＣＣまたは仮想セル識別情報に少なくとも部分的に基づく、請求項２７に記載の方法。
【請求項３１】
前記優先順位付けは、レポートタイプ、ＣＣインデックス、またはＣｏＭＰ  ＣＳＩ構成インデックスのうちの少なくとも１つに従って行われる、
請求項１８に記載の方法。
【請求項３２】
アップリンク電力優先順位付けに基づいてアップリンク送信を受信すること
をさらに備える、請求項１８に記載の方法。
【請求項３３】
前記アップリンク電力優先順位付けがアップリンクＣｏＭＰ送信に優先順位を与える、請求項３２に記載の方法。
【請求項３４】
仮想セルＩＤに少なくとも部分的に基づいて送信ポイントホッピングパラメータを構成すること
をさらに備える、請求項１８に記載の方法。
【請求項３５】
可能な構成のセットから、ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信するための手段と、
仮想セル識別情報に少なくとも部分的に基づいてアップリンク送信のための時間を選択するための手段と、
前記構成に従って通信するための手段と、
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けるための手段と、
前記優先順位付けに従ってＣＳＩをレポートするための手段と
を備える、ワイヤレス通信のための装置。
【請求項３６】
前記構成は、２つ以上のＣＣ上のＣｏＭＰ動作を可能にする、
請求項３５に記載の装置。
【請求項３７】
前記構成は、ＣｏＭＰ動作を単一のＣＣに制限する、
請求項３５に記載の装置。
【請求項３８】
前記単一のＣＣは、プライマリコンポーネントキャリア（ＰＣＣ）とセカンダリコンポーネントキャリア（ＳＣＣ）とのうちの少なくとも１つである、
請求項３７に記載の装置。
【請求項３９】
前記構成は、前記ＵＥがＣｏＭＰまたはキャリアアグリゲーション（ＣＡ）のうちの１つのみを利用して通信すべきであることを示す、
請求項３５に記載の装置。
【請求項４０】
構成可能チャネル状態情報（ＣＳＩ）レポートの数の指示を受信するための手段をさらに備える、
請求項３５に記載の装置。
【請求項４１】
前記構成可能ＣＳＩレポートの数は、ＣＣ当たり１つに制限される、
請求項４０に記載の装置。
【請求項４２】
前記構成可能ＣＳＩレポートの数は、ＣｏＭＰを用いて構成されたＣＣについて制限される、
請求項４０に記載の装置。
【請求項４３】
ＣｏＭＰを用いて構成されない前記ＣＣのうちの少なくとも１つがＣＳＩフィードバックの目的のために干渉測定リソースを用いて構成されたことを示すシグナリングを受信するための手段をさらに備える、
請求項３７に記載の装置。
【請求項４４】
非周期チャネル状態情報（ＣＳＩ）レポートのための１つまたは複数のレポートセットを示すシグナリングを受信するための手段と、
前記レポートセットのうちの少なくとも１つに従ってＣＳＩをレポートするための手段と
をさらに備える、請求項３５に記載の装置。
【請求項４５】
各レポートセットは、キャリアアグリゲーションレポートのためのＣＣと、ＣｏＭＰレポートのためのＣｏＭＰ  ＣＳＩレポート構成との組合せを識別する、
請求項４４に記載の装置。
【請求項４６】
前記シグナリングは、マルチビットトリガフィールドを備える、
請求項４４に記載の装置。
【請求項４７】
レポートセットは、ＣＣまたは仮想セル識別情報に少なくとも部分的に基づく、
請求項４４に記載の装置。
【請求項４８】
前記優先順位付けのための手段は、レポートタイプ、ＣＣインデックス、またはＣｏＭＰ  ＣＳＩ構成インデックスのうちの少なくとも１つに従って行われる、
請求項３５に記載の装置。
【請求項４９】
アップリンク電力優先順位付けを判定することと、
前記アップリンク電力優先順位付けに基づいて送信電力を調整することと
をさらに備える、請求項３５に記載の装置。
【請求項５０】
前記アップリンク電力優先順位付けを判定することは、アップリンクＣｏＭＰ送信に優先順位を与えることを備える、
請求項４９に記載の装置。
【請求項５１】
仮想セルＩＤに少なくとも部分的に基づいて送信ポイントホッピングパラメータを判定することをさらに備える、
請求項３５に記載の装置。
【請求項５２】
可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択するための手段と、
仮想セル識別情報に少なくとも部分的に基づいてアップリンク送信を一度に受信するための手段と、
前記ＵＥに前記構成の指示をシグナリングするための手段と、
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けるための手段と、
前記優先順位付けに従ってＣＳＩを受信するための手段と
を備える、ワイヤレス通信のための装置。
【請求項５３】
前記構成は、２つ以上のＣＣ上のＣｏＭＰ動作を可能にする、
請求項５２に記載の装置。
【請求項５４】
前記構成は、ＣｏＭＰ動作を単一のＣＣに制限する、
請求項５２に記載の装置。
【請求項５５】
前記単一のＣＣがプライマリコンポーネントキャリア（ＰＣＣ）とセカンダリコンポーネントキャリア（ＳＣＣ）とのうちの少なくとも１つである、
請求項５４に記載の装置。
【請求項５６】
前記構成は、前記ＵＥがＣｏＭＰまたはキャリアアグリゲーション（ＣＡ）のうちの１つのみを利用して通信すべきであることを示す、
請求項５２に記載の装置。
【請求項５７】
構成可能チャネル状態情報（ＣＳＩ）レポートの数の指示を送信するための手段をさらに備える、
請求項５２に記載の装置。
【請求項５８】
前記構成可能ＣＳＩレポートの数は、ＣＣ当たり１つに制限される、
請求項５７に記載の装置。
【請求項５９】
前記構成可能ＣＳＩレポートの数は、ＣｏＭＰを用いて構成されたＣＣについて制限される、
請求項５７に記載の装置。
【請求項６０】
ＣｏＭＰを用いて構成されない前記ＣＣのうちの少なくとも１つがＣＳＩフィードバックの目的のために干渉測定リソースを用いて構成されたことを示すシグナリングを送信するための手段をさらに備える、
請求項５４に記載の装置。
【請求項６１】
周期チャネル状態情報（ＣＳＩ）レポートのための１つまたは複数のレポートセットを示すシグナリングを送信するための手段と、
前記レポートセットのうちの少なくとも１つに従ってＣＳＩを受信するための手段と
をさらに備える、請求項５２に記載の装置。
【請求項６２】
各レポートセットは、キャリアアグリゲーションレポートのためのＣＣと、ＣｏＭＰレポートのためのＣｏＭＰ  ＣＳＩレポート構成との組合せのうちの少なくとも１つを識別する、
請求項６１に記載の装置。
【請求項６３】
前記シグナリングは、マルチビットトリガフィールドを備える、
請求項６１に記載の装置。
【請求項６４】
レポートセットは、ＣＣまたは仮想セル識別情報に少なくとも部分的に基づく、
請求項６１に記載の装置。
【請求項６５】
前記優先順位付けは、レポートタイプ、ＣＣインデックス、またはＣｏＭＰ  ＣＳＩ構成インデックスのうちの少なくとも１つに従って行われる、
請求項５２に記載の装置。
【請求項６６】
アップリンク電力優先順位付けに基づいてアップリンク送信を受信するための手段をさらに備える、
請求項５２に記載の装置。
【請求項６７】
前記アップリンク電力優先順位付けは、アップリンクＣｏＭＰ送信に優先順位を与える、
請求項６６に記載の装置。
【請求項６８】
仮想セルＩＤに少なくとも部分的に基づいて送信ポイントホッピングパラメータを構成するための手段をさらに備える、
請求項５２に記載の装置。
【請求項６９】
ユーザ機器（ＵＥ）によるワイヤレス通信のための装置であって、
可能な構成のセットから、前記ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信することと、
仮想セル識別情報に少なくとも部分的に基づいてアップリンク送信のための時間を選択することと、
前記構成に従って通信することと、
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けることと、
前記優先順位付けに従ってＣＳＩをレポートすることと
を行うように構成された少なくとも１つのプロセッサと、
前記少なくとも１つのプロセッサに結合されたメモリと
を備える、装置。
【請求項７０】
基地局（ＢＳ）によるワイヤレス通信のための装置であって、
可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、
仮想セル識別情報に少なくとも部分的に基づいてアップリンク送信を一度に受信することと、
前記ＵＥに前記構成の指示をシグナリングすることと、
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けることと、
前記優先順位付けに従ってＣＳＩを受信することと
を行うように構成された少なくとも１つのプロセッサと、
前記少なくとも１つのプロセッサに結合されたメモリと
を備える、装置。
【請求項７１】
ユーザ機器（ＵＥ）によるワイヤレス通信のためのコンピュータプログラムであって、前記コンピュータプログラムは、その上に記憶されたコードを備え、前記コードは、
可能な構成のセットから、前記ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信することと、
仮想セル識別情報に少なくとも部分的に基づいてアップリンク送信のための時間を選択することと、
前記構成に従って通信することと、
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けることと、
前記優先順位付けに従ってＣＳＩをレポートすることと
を行うために１つまたは複数のプロセッサによって実行可能である、コンピュータプログラム。
【請求項７２】
基地局（ＢＳ）によるワイヤレス通信のためのコンピュータプログラムであって、前記コンピュータプログラムは、その上に記憶されたコードを備え、前記コードは、
可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、
仮想セル識別情報に少なくとも部分的に基づいてアップリンク送信を一度に受信することと、
前記ＵＥに前記構成の指示をシグナリングすることと、
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けることと、
前記優先順位付けに従ってＣＳＩを受信することと
を行うために１つまたは複数のプロセッサによって実行可能である、コンピュータプログラム。
【発明の詳細な説明】
【関連出願】
【０００１】
関連出願の相互参照
[0001]本出願は、どちらも全体が参照により本明細書に明確に組み込まれる、２０１２年６月２２日に出願された米国仮特許出願第６１／６６３，４０６号、および２０１２年９月２７日に出願された米国仮特許出願第６１／７０６，３７３号の利益を主張する。
【技術分野】
【０００２】
[0002]本開示は、一般に通信システムに関し、より詳細には、ＣｏＭＰ動作とキャリアアグリゲーション（ＣＡ：carrier aggregation）とのジョイントサポートに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
[0006]態様は、概して、添付の図面に関して本明細書で実質的に説明し、添付の図面によって示されるように、方法、装置、システム、コンピュータプログラム製品、および処理システムを含む。
【０００７】
[0007]本開示のいくつかの態様は、ユーザ機器（ＵＥ：user equipment）によるワイヤレス通信のための方法を提供する。本方法は、概して、可能な構成のセットから、ＵＥが１つまたは複数のコンポーネントキャリア（ＣＣ：component carrier）上の多地点協調（ＣｏＭＰ：coordinated multipoint）動作を使用して１つまたは複数の基地局（ＢＳ：base station）とどのように通信すべきかを定義する構成を示すシグナリングを受信することと、構成に従って通信することとを含む。
【０００８】
[0008]本開示のいくつかの態様は、基地局（ＢＳ）によるワイヤレス通信のための方法を提供する。本方法は、概して、可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、ＵＥに構成の指示をシグナリングすることとを含む。
【０００９】
[0009]本開示のいくつかの態様は、ワイヤレス通信のための装置を提供する。ＵＥは、概して、可能な構成のセットから、ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信するための手段と、構成に従って通信するための手段とを含む。
【００１０】
[0010]本開示のいくつかの態様は、ワイヤレス通信のための装置を提供する。ＢＳは、概して、可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択するための手段と、ＵＥに構成の指示をシグナリングするための手段とを含む。
【００１１】
[0011]本開示のいくつかの態様は、ＵＥによるワイヤレス通信のための装置を提供する。本装置は、概して、少なくとも１つのプロセッサと、少なくとも１つのプロセッサに結合されたメモリとを含む。少なくとも１つのプロセッサは、概して、可能な構成のセットから、ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信することと、構成に従って通信することとを行うように構成される。
【００１２】
[0012]本開示のいくつかの態様は、ＢＳによるワイヤレス通信のための装置を提供する。本装置は、概して、少なくとも１つのプロセッサと、少なくとも１つのプロセッサに結合されたメモリとを含む。少なくとも１つのプロセッサは、概して、可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、ＵＥに構成の指示をシグナリングすることとを行うように構成される。
【００１３】
[0013]本開示のいくつかの態様は、ＵＥによるワイヤレス通信のためのコンピュータプログラム製品を提供する。本コンピュータプログラム製品は、概して、可能な構成のセットから、ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信することと、構成に従って通信することとを行うための、１つまたは複数のプロセッサによって実行可能なコードを記憶した非一時的コンピュータ可読媒体を備える。
【００１４】
[0014]本開示のいくつかの態様は、ＢＳによるワイヤレス通信のためのコンピュータプログラム製品を提供する。本コンピュータプログラム製品は、概して、可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、ＵＥに構成の指示をシグナリングすることとを行うための、１つまたは複数のプロセッサによって実行可能なコードを記憶した非一時的コンピュータ可読媒体を備える。
【００１５】
[0015]本開示のいくつかの態様は、ユーザ機器（ＵＥ）によるワイヤレス通信のための方法を提供する。本方法は、概して、多地点協調（ＣｏＭＰ）動作を使用する１つまたは複数の基地局（ＢＳ）との通信のためにＵＥによってサポートされる能力を示す、可能な構成の第１のセットから選択された１つまたは複数のＵＥ能力構成（UE capability configuration）をシグナリングすることと、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを受信することと、受信されたシグナリングに従って通信することとを含む。
【００１６】
[0016]本開示のいくつかの態様は、基地局（ＢＳ）によるワイヤレス通信のための方法を提供する。本方法は、概して、ユーザ機器（ＵＥ）から１つまたは複数のＵＥ能力シグナリング構成を受信することと、シグナリング構成が、多地点協調（ＣｏＭＰ）動作を使用する１つまたは複数のＢＳとの通信のためにＵＥによってサポートされる能力を示す可能な構成の第１のセットから選択される、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを送信することとを含む。
【００１７】
[0017]本開示のいくつかの態様は、ワイヤレス通信のための装置を提供する。ＵＥは、概して、多地点協調（ＣｏＭＰ）動作を使用する１つまたは複数の基地局（ＢＳ）との通信のためにＵＥによってサポートされる能力を示す、可能な構成の第１のセットから選択された１つまたは複数のＵＥ能力構成をシグナリングするための手段と、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを受信するための手段と、受信されたシグナリングに従って通信するための手段とを含む。
【００１８】
[0018]本開示のいくつかの態様は、ワイヤレス通信のための装置を提供する。ＢＳは、概して、ユーザ機器（ＵＥ）から１つまたは複数のＵＥ能力シグナリング構成を受信するための手段と、シグナリング構成が、多地点協調（ＣｏＭＰ）動作を使用する１つまたは複数のＢＳとの通信のためにＵＥによってサポートされる能力を示す可能な構成の第１のセットから選択される、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを送信するための手段とを含む。
【００１９】
[0019]本開示のいくつかの態様は、ＵＥによるワイヤレス通信のための装置を提供する。本装置は、概して、少なくとも１つのプロセッサと、少なくとも１つのプロセッサに結合されたメモリとを含む。少なくとも１つのプロセッサは、概して、多地点協調（ＣｏＭＰ）動作を使用する１つまたは複数の基地局（ＢＳ）との通信のためにＵＥによってサポートされる能力を示す、可能な構成の第１のセットから選択された１つまたは複数のＵＥ能力構成をシグナリングすることと、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを受信することと、受信されたシグナリングに従って通信することとを行うように構成される。
【００２０】
[0020]本開示のいくつかの態様は、ＢＳによるワイヤレス通信のための装置を提供する。本装置は、概して、少なくとも１つのプロセッサと、少なくとも１つのプロセッサに結合されたメモリとを含む。少なくとも１つのプロセッサは、概して、ユーザ機器（ＵＥ）から１つまたは複数のＵＥ能力シグナリング構成を受信することと、シグナリング構成が、多地点協調（ＣｏＭＰ）動作を使用する１つまたは複数のＢＳとの通信のためにＵＥによってサポートされる能力を示す可能な構成の第１のセットから選択される、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを送信することとを行うように構成される。
【００２１】
[0021]本開示のいくつかの態様は、ＵＥによるワイヤレス通信のためのコンピュータプログラム製品を提供する。本コンピュータプログラム製品は、概して、多地点協調（ＣｏＭＰ）動作を使用する１つまたは複数の基地局（ＢＳ）との通信のためにＵＥによってサポートされる能力を示す、可能な構成の第１のセットから選択された１つまたは複数のＵＥ能力構成をシグナリングすることと、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを受信することと、受信されたシグナリングに従って通信することとを行うための、１つまたは複数のプロセッサによって実行可能なコードを記憶した非一時的コンピュータ可読媒体を備える。
【００２２】
[0022]本開示のいくつかの態様は、ＢＳによるワイヤレス通信のためのコンピュータプログラム製品を提供する。本コンピュータプログラム製品は、概して、ユーザ機器（ＵＥ）から１つまたは複数のＵＥ能力シグナリング構成を受信することと、シグナリング構成が、多地点協調（ＣｏＭＰ）動作を使用する１つまたは複数のＢＳとの通信のためにＵＥによってサポートされる能力を示す可能な構成の第１のセットから選択される、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを送信することとを行うための、１つまたは複数のプロセッサによって実行可能なコードを記憶した非一時的コンピュータ可読媒体を備える。
【００２３】
[0023]上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００２４】
【図１】[0024]ネットワークアーキテクチャの一例を示す図。
【図２】[0025]アクセスネットワークの一例を示す図。
【図３】[0026]アクセスネットワーク中で使用するフレーム構造の一例を示す図。
【図４】[0027]ＬＴＥにおけるＵＬのための例示的なフォーマットを示す図。
【図５】[0028]ユーザプレーンおよび制御プレーンのための無線プロトコルアーキテクチャの一例を示す図。
【図６】[0029]アクセスネットワーク中の発展型ノードＢおよびユーザ機器の一例を示す図。
【図７】[0030]異種ネットワーク中の範囲拡大セルラー領域を示す図。
【図８】[0031]アクセスネットワーク中の例示的なマクロｅＮＢ／ＲＲＨ  ＣｏＭＰ構成を示す図。
【図９】[0032]アクセスネットワーク中の別の例示的なマクロｅＮＢ／ＲＲＨ  ＣｏＭＰ構成を示す図。
【図１０】[0033]一態様による、ＣＳＩ測定を可能にする例示的なフレーム構造とリソース要素構成とを示す図。
【図１１】[0034]一態様による、ＣＳＩ測定を可能にする別の例示的なフレーム構造とリソース要素構成とを示す図。
【図１２】[0035]本開示のいくつかの態様による、たとえば、ＵＥによって実行され得る例示的な動作を示す図。
【図１３】[0036]本開示のいくつかの態様による、たとえば、ＵＥを用いたＣｏＭＰ動作に他のノードとともに参加しているノードなど、ＢＳによって実行され得る例示的な動作を示す図。
【図１４】[0037]本開示のいくつかの態様による、たとえば、ＵＥによって実行され得る例示的な動作を示す図。
【図１５】[0038]本開示のいくつかの態様による、たとえば、ＢＳによって実行され得る例示的な動作を示す図。
【発明を実施するための形態】
【００２５】
[0039]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２６】
[0040]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００２７】
[0041]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２８】
[0042]したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００２９】
[0043]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００３０】
[0044]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００３１】
[0045]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００３２】
[0046]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。
【００３３】
[0047]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２という組織からの文書に記載されている。採用される実際のワイヤレス通信規格および多元接続技術は、特定の適用例およびシステムに課された全体的な設計制約に依存することになる。
【００３４】
[0048]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００３５】
[0049]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３６】
[0050]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３７】
[0051]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００３８】
[0052]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３９】
[0053]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００４０】
[0054]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００４１】
[0055]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００４２】
[0056]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００４３】
[0057]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順序がバラバラの受信を補償するためにデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担う。ＭＡＣサブレイヤ５１０はまたＨＡＲＱ動作を担う。
【００４４】
[0058]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担う。
【００４５】
[0059]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先順位メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００４６】
[0060]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ）と、様々な変調方式（たとえば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ：）に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコードされる。チャネル推定器６７４からのチャネル推定値は、コーディングおよび変調方式を判定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４７】
[0061]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００４８】
[0062]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間での多重分離と、パケット再統合と、復号と、ヘッダの復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００４９】
[0063]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担う。
【００５０】
[0064]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００５１】
[0065]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００５２】
[0066]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００５３】
[0067]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡張されたセルラー領域７０３中のＵＥ７２０をサービスし、ＵＥ７２０が、範囲拡張されたセルラー領域７０３に入るとき、マクロｅＮＢ７１０ａからのＵＥ７２０のハンドオフを受け入れることが可能になる。
【００５４】
[0068]図８は、アクセスネットワーク８００中の例示的なマクロｅＮＢおよびＲＲＨ構成を示す図である。アクセスネットワーク８００はＣｏＭＰ送信ポイントの複数のクラスタ８０１を含み得る。ＣｏＭＰクラスタ８０１は、１つまたは複数のマクロｅＮＢ８０２と、１つまたは複数のＲＲＨ８０４とを含み得る。本明細書で使用する、エンティティ８０４が低減された送信電力で動作するＣｏＭＰクラスタは、異種として参照され得、エンティティ８０４が別のマクロｅＮＢと同じ送信電力で送信するＣｏＭＰクラスタは、同種として参照され得る。同種展開と異種展開の両方の場合、１つまたは複数のＲＲＨ８０４があり得る。一態様では、マクロｅＮＢ８０２およびＲＲＨ８０４は、ファイバーケーブル８０３、Ｘ２バックホール８０７などを介して８０６接続され得る。概して、ＵＥ８１２はアクセスネットワーク８００からサービスを受信し得る。一態様では、ＣＲＳパターンはＣｏＭＰクラスタ８０１にわたって共通であり、たとえば、マクロｅＮＢ８０２およびＲＲＨ８０４は共通ＣＲＳパターンを使用して送信し得る。さらに、アクセスネットワーク８００は、１つまたは複数のマクロｅＮＢ／ＲＲＨ８０６を含む１つまたは複数の他のＣｏＭＰクラスタ８０５を含み得る。動作中に、別のＣｏＭＰクラスタ８０５からの干渉８１６に関連する情報を含むＣＳＩフィードバックが、マクロｅＮＢ８０２および／またはＲＲＨ８０４と通信中のＵＥ８１２を支援するために取得され得る。
【００５５】
[0069]ＵＥ８１２の一態様では、ＵＥ８１２は、ＣｏＭＰクラスタ８０１を用いた通信のためのワイヤレスプロトコルを使用することが可能であり得る。そのような通信プロトコルは、限定はしないが、ＬＴＥリリース８、ＬＴＥリリース９、ＬＴＥリリース１０、ＬＴＥリリース１１などを含み得る。ＵＥ８１２にサービスを与えるために、チャネル推定パラメータが、ＵＥ８１２とマクロｅＮＢ８０２との間で潜在的に使用されるチャネル８１４について、および／またはＵＥ８１２とＲＲＨ８０４との間のチャネル８１８について取得され得、干渉推定パラメータが、干渉８１６を測定するために取得され得る。一態様では、干渉８１６は、他のＲＲＨ８０４、マクロｅＮＢ８０２、および／または他のＣｏＭＰクラスタ８０５から潜在的に発生し得る。様々なリソースパターングループ（たとえば、ＣｏＭＰクラスタ）のためのリソース要素パターンを、ＵＥがチャネル推定と干渉推定とを実行することを可能にするように構成するための様々な方式を次に提示する。
【００５６】
[0070]図９は、ＵＥ９０６が複数の可能なサービング送信ポイント（９０２、９０４）に関連するチャネル状態測定を実行し得る例示的なアクセスネットワーク９００を示す図である。一態様では、送信ポイント（９０２、９０４）は、ＣｏＭＰクラスタとして動作するように協調させられ得る。アクセスネットワーク９００は、協調スケジューリングおよび／または協調ビームフォーミング、動的ポイント選択（ＤＰＳ：dynamic point selection）、コヒーレントおよび／または非コヒーレントジョイント送信（ＪＴ：joint transmission）などを含む複数のＣｏＭＰ方式のためのサポートを含み得る。
【００５７】
[0071]さらに、アクセスネットワーク９００は同種および／または異種ＣｏＭＰクラスタ動作のためのサポートを与え得る。第１の同種シナリオによれば、ＣｏＭＰは、同じマクロサイトのセルにわたってサポートされ得る。第２の同種シナリオによれば、ＣｏＭＰは、３つの近隣マクロサイトにわたってサポートされ得る。第１の異種シナリオによれば、ＣｏＭＰは、マクロセルとそれのピコ（ＲＲＨ）とにわたってサポートされ得る。マクロ／ＲＲＨは、異なるセルＩＤで構成され得る。第２の異種シナリオによれば、ＣｏＭＰは、マクロセルとそれのピコ（ＲＲＨ）とにわたってサポートされ得、ここにおいて、マクロ／ＲＲＨは同じセルＩＤで構成され得る。したがって、物理セルＩＤの依存性を低減することに利益があり得る。
【００５８】
[0072]一態様では、ＣＳＩフィードバックレポートはチャネル測定と干渉測定とを包含し、チャネル測定と干渉測定の両方は、１つまたは複数のチャネル状態情報基準信号（ＣＳＩ−ＲＳ：Channel State Information Reference Signal）と１つまたは複数の共通基準信号（ＣＲＳ：Common Reference Signal）とを含む基準信号の組合せによって可能にされ得る。本明細書で使用するＣＳＩ−ＲＳは、非ゼロ電力（ＮＺＰ：non-zero power）ＣＳＩ−ＲＳとゼロ電力（ＺＰ：zero power）ＣＳＩ−ＲＳとに区別され得る。非ゼロ電力ＣＳＩ−ＲＳは、ＵＥ９０６によって受信され、チャネル状態および／または干渉状態を測定するために使用され得る非ゼロ電力をもつ実際のパイロット送信を含み得る。ゼロ電力ＣＳＩ−ＲＳは、一方、１つまたは複数のミュートされたリソース要素を表し得る。そのようなミューティングは干渉測定のために使用され得る。ゼロ電力ＣＳＩ−ＲＳリソースと非ゼロ電力ＣＳＩ−ＲＳリソースの両方の構成は、ＵＥ９０６固有であり得る。さらに、特定のＵＥ９０６の場合、複数の非ゼロ電力ＣＳＩ−ＲＳリソースとゼロ電力ＣＳＩ−ＲＳリソースとが定義され得る。
【００５９】
[0073]ＣｏＭＰ方式は、ＤＰＳのための複数の候補送信ポイントを含み得るＣＳＩフィードバックレポートを含む。コヒーレントおよび／または非コヒーレントＪＴの場合、複数の送信ポイント（たとえば、９０２、９０４）は、ＵＥに同時に送信し得る。ＣＳＩフィードバックレポートは非周期的および／または周期的に実行され得る。非周期フィードバックは要求ごとに実行され得る。そのような非周期フィードバックは、ＰＤＣＣＨ上の許可を通してアクセスネットワーク９００中でトリガされ得る。非周期ＣＳＩフィードバックレポートは（たとえば、ＰＵＳＣＨ上の）アップリンクデータ送信を使用してＵＥ９０６によって送信され、それによって、アップリンク制御チャネル（たとえば、ＰＵＣＣＨ）上で利用可能になるであろうペイロード送信よりも大きいペイロード送信を可能にし得る。周期フィードバックは、１つまたは複数のレポートモードを含み得、特定の半静的に構成されたタイムラインに従い得る。周期ＣＳＩフィードバックレポートは、ＰＵＣＣＨを使用してＵＥ９０６によって送信され、それにより、非周期フィードバックのために利用可能なペイロードと比較して、より制限されたペイロードを可能にし得る。
【００６０】
[0074]ＵＥは、基準信号リソースの異なるセットに基づいて計算される複数のＣＳＩフィードバックレポートを送り得る。各ＣＳＩフィードバックレポートは、チャネル測定、干渉測定、またはそれらの任意の組合せを含み得る。基準信号リソースの異なるセットを使用するフィードバックレポートは、これらの基準信号が、ネットワークがそこから選択し得る異なる候補送信代替を示し得るので、有用である。たとえば、一態様では、ＵＥ９０６は、送信ポイント９０２または送信ポイント９０４のいずれかによって、ＤＰＳ方式の一部としてサービスされ得る。そのような態様では、ＵＥ９０６は、チャネル測定のための２つの別個の非ゼロ電力ＣＳＩ−ＲＳリソースに関連する測定を実行するように構成され得る。さらに、ＵＥ９０６はＣＳＩレポートの２つのセットをレポートし得、各々は、サービング代替のうちの１つについて示す。上記のチャネル測定オプションと同様に、ＵＥ９０６は、ＣＳＩフィードバックレポート（たとえば、干渉測定を実行するときにどのゼロ電力ＣＳＩ−ＲＳリソースを使用すべきか）の目的で様々な干渉測定を実行し得る。
【００６１】
[0075]ＣＳＩ測定およびレポート構成のためのシグナリングは、１つまたは複数のリソースパターングループの使用を含み得る。基準信号パターンの複数のグループが使用され得、これらのグループは、ＣＳＩフィードバックがレポートされる別個のフィードバックレポートインスタンスを構成し得る。異なるグループについてのＣＳＩレポートは、チャネル測定および／または干渉測定の異なる構成を示し得る。したがって、異なるグループについてのＣＳＩレポートは実質的に異なり得る。各リソースパターングループについて、第１および第２のリソース要素パターンが考慮され得る。第１のリソース要素パターンはチャネル測定のために使用され得、１つまたは複数の非ゼロ電力ＣＳＩ−ＲＳリソースを使用し得る。随意の態様では、ＣＲＳパターンの使用も考慮され得る。第２のリソース要素パターンは干渉測定のために使用され得、ゼロ電力ＣＳＩ−ＲＳリソースおよび／またはＣＲＳを含み得る。非ゼロ電力ＣＳＩ−ＲＳリソースはまた、たとえば、知られているパイロット送信を減じた後の干渉測定のために使用され得る。ＵＥ９０６は、明示的または暗黙的シグナリング、あるいはそれらの組合せによって、どのＣＳＩ−ＲＳリソースを使用すべきかを通知され得る。異なるリソースパターングループの第１のリソース要素パターンは、同じＣＳＩ−ＲＳリソースに対応することもしないこともある。同様に、異なるリソースパターングループの第２のリソース要素パターンは、同じＣＳＩ−ＲＳリソースに対応することもしないこともある。たとえば、一態様では、２つのリソースパターングループが考慮され得、両方のグループは、チャネル測定のために使用される同じＣＳＩ−ＲＳリソースに対応する第１のリソース要素パターンを有し得るが、それらのグループは、干渉測定のために使用される第２のリソース要素パターンのための異なる構成を有し得る。
【００６２】
[0076]明示的シグナリングが使用される場合、ＵＥ９０６は、新しいフィールドによって、どの（１つまたは複数の）ＣＳＩ−ＲＳリソースが使用されるべきかをシグナリングされ得る。さらに、明示的（たとえば、専用）シグナリングが使用される場合、干渉測定リソースは、ＲＲＣおよび／または動的シグナリングの組合せによってチャネル測定リソースから別々にシグナリングされ得る。一態様では、動的シグナリングはＲＲＣシグナリングを補完し得る。たとえば、ＲＲＣシグナリング中で合計４つのリソースが構成され得、動的にシグナリングすることは２ビットを含み得、その２ビットは、ＵＥ９０６がＲＲＣシグナリングされたリソースのうちのどれを測定すべきかを示し得る。
【００６３】
[0077]暗黙的シグナリングが使用される場合、ＵＥ９０６は、レポートが要求されるサブフレームから、使用すべき１つまたは複数のＣＳＩ−ＲＳリソースを推論し得る。ＵＥ９０６は、次いで、複数の送信ポイント（９０２、９０４）の各々に関連するチャネルおよび干渉測定（９０８、９１０）を、ネットワークに伝達される各送信ポイント（９０２、９０４）についての単一のＣＳＩレポートに組み合わせ得る。
【００６４】
[0078]非周期フィードバックの場合、１つまたは複数の構成されたＣＳＩ−ＲＳリソースのインデックスは、動的にシグナリングすることを使用してシグナリングされ得る。一態様では、ＵＥ９０６がどのチャネル／干渉リソースを測定すべきかを構成するために、ＲＲＣシグナリングと動的シグナリングとの組合せが使用され得る。上記で説明したように、基準信号リソースの複数のグループは、異なる送信代替を示すＣＳＩレポートを可能にするように構成され得る。これらのグループの各々は、異なるチャネルおよび／または干渉測定リソースパターンを含み得る。非周期レポートは、干渉測定のための異なるリソースパターンに基づいて計算されるＣＳＩを含み得る。たとえば、単一の基準信号パターンがチャネル測定のために構成された場合でも、複数のＣＳＩ−ＲＳリソースは参照サブフレーム中の干渉推定のために構成され得る。ＵＥ９０６は、干渉測定のためにこれらの異なるリソースパターンを使用して別個の非周期ＣＳＩフィードバックレポートを生成し得る。さらに、複数のリソースパターングループが測定される場合、各グループについてのランク指示とプリコーディング行列とチャネル品質（ＲＩ／ＰＭＩ／ＣＱＩ）とを計算すべきかどうか、またはいくつかのＣＳＩフィードバックレポート中でＲＩ／ＰＭＩ／ＣＱＩのサブセットをレポートすべきかどうかをＵＥ９０６に伝達するために、追加のシグナリングが使用され得る。たとえば、ＵＥ９０６は、あるグループについてＲＩ／ＰＭＩ／ＣＱＩのすべてをレポートし得るが、別のグループについてＣＱＩのみをレポートし得る。一態様では、異なるグループに対応するＣＳＩレポートの符号化は、フィードバックペイロードを低減するために一緒に実行され得る。たとえば、追加のＣＱＩレポートは、別のレポート中の絶対ＣＱＩ値と比較されるオフセット（ΔＣＱＩ）として符号化され得る。別の態様では、追加のＣＱＩは、広帯域および／またはサブバンドごとにレポートされ得る。別の態様では、非周期レポートの場合、基準リソースは、非周期ＣＳＩレポートのための要求が受信されたサブフレームに基づいて定義され得る。追加のオフセットは、処理遅延をキャプチャするために適用し、適用され得る。たとえば、非周期ＣＳＩレポートのための要求が受信されるサブフレームに基づいて、基準リソースサブフレームが判定され得る。この判定はまた、限定はしないが、どんなタイプの許可が非周期フィードバック要求をトリガしたかなどの他のパラメータに依存し得る。参照サブフレームに分類される基準信号リソースパターンによれば、１つまたは複数のＣＳＩフィードバックレポートはＵＥによって送られ得る。一態様では、ＵＥは、どのくらいのリソースパターンがレポートされ得るかに対する上限に従い得る。そのような態様では、この上限はＲＲＣシグナリングによって構成され得る。
【００６５】
[0079]周期フィードバックの場合、１つまたは複数のＣＳＩ−ＲＳリソースは、レポートモード構成の一部としてシグナリングされ得る。一態様では、周期フィードバックは、別個のレポートインスタンス中で異なるチャネル／干渉測定構成をレポートし得る。そのような態様では、チャネル／干渉測定のためのＣＳＩ−ＲＳリソースの構成は、レポートモードの半静的構成の一部分を作成され得る。別の態様では、ＵＥ９０６は、ある周期フィードバックレポートインスタンス中でどんな基準信号パターングループをレポートすべきかを、少なくとも部分的に判定し得る。そのような態様では、ＵＥ９０６は、一度に（チャネル状態情報に関して）最良の基準信号パターングループのみをレポートし得る。ＵＥ９０６は、レポートの一部として、どの基準信号パターングループがレポートされたかを示し得る。別の態様では、ＵＥは、フィードバックレポート構成の一部であるパターン中のいくつかの組合せにわたって循環し得る。
【００６６】
[0080]図１０および図１１は、ＣＳＩフィードバックレポートのための例示的なＣｏＭＰ方式を与える。
【００６７】
[0081]図１０は、ＣＳＩ測定を可能にする例示的なフレーム構造１０００とリソース要素構成１００２とを示す図である。リソース要素構成１００２は、第１の送信ポイント（たとえば、送信ポイント９０２）に関連するチャネル推定のために割り振られた１つまたは複数のリソース要素１００４と、第２の送信ポイント（たとえば、送信ポイント９０４）に関連するチャネル推定のために割り振られた１つまたは複数のリソース要素１００６と、第１の送信ポイント（たとえば、送信ポイント９０２）に関連する干渉推定のために割り振られた１つまたは複数のリソース要素１００８と、第２の送信ポイント（たとえば、送信ポイント９０４）に関連する干渉推定のために割り振られた１つまたは複数のリソース要素１０１０と、共通基準信号（ＣＲＳ）のための１つまたは複数のリソース要素１０１２とを含み得る。
【００６８】
[0082]ＣＳＩ−ＲＳリソース構成情報が暗黙的構成によって通信される場合、チャネルおよび干渉測定リソースのリンケージは、干渉測定リソース（１００８、１０１０）がチャネル測定リソース（１００４、１００６）構成から導出され得ることを暗示する。一態様では、暗黙的構成は、１対１マッピングを使用するチャネルリソースと干渉リソースとのマッピングを含み得る。そのような態様では、チャネル推定のためのいかなる非ゼロ電力ＣＳＩ−ＲＳリソース（１００４、１００６）についても、専用干渉測定ＣＳＩ−ＲＳリソース（１００８、１０１０）があり得る。干渉測定リソースは、ゼロ電力（たとえば、ミュートされた）および／または非ゼロ電力（たとえば、ミュートされない）であり得る。干渉測定リソースが非ゼロ電力である場合、ＵＥ（たとえば、ＵＥ９０６）は、１つまたは複数の知られているパイロット信号を減じ、干渉推定のためのリソース要素を使用し得る。そのような態様では、別個のシグナリングは、パイロット情報、プリコーディング情報などを含み得る。
【００６９】
[0083]別の態様では、暗黙的構成は、１対多マッピングを使用するチャネルリソースと干渉リソースとのマッピングを含み得る。そのような態様では、複数のミュートされたＣＳＩ−ＲＳリソースが、あいまいさをもたらすことなく干渉推定のために割り当てられ得る。言い換えれば、各チャネル推定測定リソース（１００４）から干渉測定リソースのセット（１００８、１０１０）へのマッピングは直接マッピングであり得る。さらに、非ゼロ電力ＣＳＩ−ＲＳリソース（１００４、１００６）は、チャネル推定に初期に割り振られたリソース要素から１つまたは複数の知られているパイロットを減算することと、そのリソース要素を干渉推定のために再利用することとによって、干渉推定を補足するために使用され得る。一態様では、チャネル測定リソース要素と干渉測定リソース要素との間のマッピングは、サブフレーム、サブフレームセットおよび／またはサブフレームタイプに応じて異なり得る。
【００７０】
[0084]図１０に示すように、第１の送信ポイント（たとえば、送信ポイント９０２）に関連するフィードバックは、チャネル推定のためのリソース要素パターン１００４と干渉推定のためのリソース要素パターン１００８とを使用して取得され得る。さらに、第２の送信ポイント（たとえば、送信ポイント９０４）に関連するフィードバックは、チャネル推定のためのリソース要素パターン１００６と干渉推定のためのリソース要素パターン１０１０とを使用して取得され得る。一態様では、ＣＲ１０１２は、干渉推定のためのＣＳＩ−ＲＳと組み合わせて使用され得る。
【００７１】
[0085]上記の議論は、個々の送信ポイントに対応するリソース要素パターンを指すが、本開示はまた、１つまたは複数の他の構成をも包含することを当業者は諒解されよう。たとえば、リソース要素１００４、１００６は、それぞれ、必ずしも第１の送信ポイントと第２の送信ポイントとを対応するとは限らないことがある。そうではなく、一態様では、単一のリソース要素パターン１００４は、単一の送信ポイントよりも多い送信ポイントにわたり得る。さらに、送信ポイントへのＣＳＩ−ＲＳポートの特定のマッピングは、ＵＥに対して透過的であり得る。
【００７２】
[0086]図１１は、ＣＳＩ測定を可能にする例示的なフレーム構造１１００とリソース要素構成１１０２とを示す図である。リソース要素構成１１０２は、第１の送信ポイント（たとえば、送信ポイント９０２）に関連するチャネル推定のために割り振られた１つまたは複数のリソース要素１１０４と、第２の送信ポイント（たとえば、送信ポイント９０４）に関連するチャネル推定のために割り振られた１つまたは複数のリソース要素１１０６と、複数の送信ポイント（たとえば、送信ポイント９０２、９０４）の間で共有される干渉推定のために割り振られた１つまたは複数のリソース要素１１０８と、共通基準信号（ＣＲＳ）のための１つまたは複数のリソース要素１１１０とを含み得る。
【００７３】
[0087]複数のチャネル測定リソースの間の干渉測定リソース１１０８共有は、システムオーバーヘッドの低減を可能にする。２つの送信ポイント（たとえば、９０２、９０４）が隣接ポイントである一態様では、１１０８上で測定される干渉は、これらの２つ以外のポイントからの干渉を含み得る。しかしながら、場合などでは、いずれかの送信ポイントについてのフィードバックレポートが、共有干渉測定リソース１１０８を使用して計算される場合、他の送信ポイントからの干渉はレポートの一部として測定されないことがある。この欠陥は、複数の送信ポイントがアクティブであり得、干渉を生成し得るので、ネットワーク観点から望ましくないことがある（たとえば、一方の送信ポイント９０２はＵＥ９０６をサービスし得るが、他方の送信ポイント９０４は、異なるＵＥをサービスし得、ＵＥ９０６に干渉を生じ得る）。原因不明の干渉を回避するために、１つまたは複数の他の送信ポイント（たとえば、９０４）からの干渉は、１つまたは複数のチャネル測定値を専用干渉測定リソースから取得された干渉測定値に加算することによって、他の送信ポイントの各々に関連するチャネル測定リソースパターンに基づいて組み込まれ得る。他の送信ポイントのチャネル測定リソースに基づいて干渉値を加算するときに、プリコーダ仮定は、チャネル測定リソース上に存在するパイロットが、ネットワークによって最終的に割り当てられ得るプリコーダとは異なり得るように行われる必要があり得る。一態様では、どんなプリコーダ仮定を使用すべきかをＵＥ（たとえば、９０６）に通知するためのシグナリングが追加され得る。たとえば、干渉は、フルランク（またはハードコーディングされた）プリコーダ仮定などを使用して加算され得る。別の態様では、各送信ポイントは、スケジューリング決定に基づいて、受信されたＣＳＩレポートをオフセットし得る。
【００７４】
[0088]干渉を「加算し戻す（adding-back）」上記の技法は、干渉推定のためのＣＳＩ−ＲＳリソースが複数の送信ポイントの間で共有される以外の場合において適用され得る。本方法は、任意の非ゼロ電力ＣＳＩ−ＲＳが干渉寄与を表すことを示すことと、専用干渉測定リソースから取得された干渉推定値にそれを加算することとによって、その非ゼロ電力ＣＳＩ−ＲＳリソースに基づいて実行され得る。このプロシージャの構成は、ＲＲＣシグナリングおよび／または動的シグナリングの組合せによって明示的にシグナリングされ得る。上記で説明した暗黙的構成オプションも適用され得る。
【００７５】
[0089]別の態様では、２つのチャネル測定リソースの各々のために別個のリソースを構成することは必要とされないことがあり、代わりに共通リソースが使用され得、レポート目的のための加算干渉は、他の送信ポイントのチャネル測定リソースに基づき得る。
【００７６】
ＣｏＭＰ動作とＣＡとのジョイントサポートのための技法
[0090]キャリアアグリゲーション（ＣＡ）はピークレートの増加を可能にし、場合によってはコンポーネントキャリア（ＣＣ）ごとに干渉協調を可能にし得る。干渉協調をサポートする可能性は、ＣＡが使用され得る展開のタイプに依存する。ＣｏＭＰは、同一チャネル（co-channel）展開の場合の（場合によっては集中型処理に基づく）緊密な干渉協調をターゲットにする。
【００７７】
[0091]ＣｏＭＰとＣＡとのジョイント動作はフレキシビリティを提供し得る。しかしながら、ＣｏＭＰ＋ＣＡはＵＥ複雑度の増加につながり得る。個々に、ＣｏＭＰおよびＣＡは、すでにＵＥ複雑度を増加させている（たとえば、ＣＳＩフィードバック複雑度に関してＵＥ複雑度を増加させた）。ＣＡは、Ｒｅｌ−１０では最高５つのＣＣをサポートする。したがって、ＵＥは、非ＣＡと比較して最高５倍のＣＳＩフィードバック負荷をサポートする必要があり得る。
【００７８】
[0092]ＣｏＭＰは、構成可能ＣｏＭＰ  ＣＳＩレポート構成に関して同様の増加をサポートし得る。したがって、本開示の態様は、ＣｏＭＰとＣＡとのジョイント動作をフレキシブルに構成するように制限を導入する。
【００７９】
[0093]本明細書でより詳細に説明するように、図１２は、本開示のいくつかの態様による、たとえば、ＵＥ（たとえば、ＵＥ６５０）によって実行され得る例示的な動作１２００を示す。１２０２において、ＵＥは、可能な構成のセットから、ＵＥが１つまたは複数のコンポーネントキャリア（ＣＣ）上のＣｏＭＰ動作を使用して１つまたは複数のＢＳとどのように通信すべきかを定義する構成を示すシグナリングを受信する。１２０４において、ＵＥは、構成に従って通信する。
【００８０】
[0094]図１３は、本開示のいくつかの態様による、たとえば、ＵＥを用いたＣｏＭＰ動作に他のノードとともに参加しているノードなど、基地局（たとえば、ＢＳ６１０）によって実行され得る例示的な動作１３００を示す図である。１３０２において、ＢＳは、可能な構成のセットから、ＵＥが１つまたは複数のＣＣ上のＣｏＭＰ動作を使用して１つまたは複数のＢＳとどのように通信すべきかを定義する構成を選択する。１３０４において、ＢＳはＵＥに構成の指示をシグナリングする。  
ＣｏＭＰ＋ＣＡのための構成オプション
【００８１】
[0095]第１の代替によれば、ＣｏＭＰは２つ以上のＣＣ上でサポートされ得る。これは、ＣｏＭＰがすべてのＣＣ上でサポートされ得るので、完全なフレキシビリティを提供し得る。ＣｏＭＰはすべてのＣＣ上でサポートされ得るが、構成され得るＣＳＩプロセスの数を制限するために、制限が必要であり得る。
【００８２】
[0096]第２の代替によれば、ＣｏＭＰは単一のＣＣ上でサポートされ得る。その単一のＣＣがプライマリコンポーネントキャリア（ＰＣＣ:primary component carrier）であるのかセカンダリコンポーネントキャリア（ＳＣＣ:secondary component carrier）であるのかは構成可能であり得る。初期ネットワーク展開が単一のキャリア上のＣｏＭＰのみをサポートし得るので、単一のＣＣ上のＣｏＭＰをサポートすることは魅力的なオプションであり得る。そのようなコンフィギュアビリティは、複数の使用事例を可能にし得る。さらに、単一のＣＣ上のみでＣｏＭＰをサポートすることは、複雑度の観点から有益であり得る。しかしながら、ＣｏＭＰが２つ以上のＣＣ上でサポートされる第１の代替と同様に、さらなる制限が必要とされ得る。
【００８３】
[0097]たとえば、マクロ／ＲＲＨが同じセルＩＤで構成され得る異種展開シナリオでは、ＰＣＣ上のＣｏＭＰをサポートすることは、モビリティ処理の改善を与え得る。ＳＣＣ上のＣｏＭＰをサポートすることは、新規キャリアタイプ（ＮＣＴ：new carrier type）のＣＣ上のＣｏＭＰの構成によって誘導され得る。たとえば、そのようなＮＣＴは、ジョイント送信など、いくつかのＣｏＭＰ方式の場合、ＣＲＳレートマッチングを必要としないことがある。
【００８４】
[0098]第３の代替によれば、ＣｏＭＰまたはＣＡのうちの１つのみが構成され得る。この代替は、何らかの構成フレキシビリティを犠牲にしてＵＥ複雑度を制限し得る。
【００８５】
[0099]ＣｏＭＰとＣＡとの一般的なコンフィギュアビリティと組み合わせて、ＵＥがサポートし得る構成可能ＣＳＩレポートの数に対して制限がかけられる必要があり得る。ＣｏＭＰが２つ以上のＣＣ上で構成され得る第１の代替を参照すると、構成可能ＣＳＩレポートの数はＣＣごとに制限され得る。たとえば、ＣＣごとに、ＣｏＭＰについての構成可能ＣＳＩレポートの数は、一定数Ｎ1によって制限され得、Ｎ1は、全体的なＵＥ複雑度を制限するために、構成されたＣＣの総数に依存し得る。
【００８６】
[0100]第１の代替を参照すると、態様によれば、構成可能ＣＳＩプロセスの全数のみが制限され得る。たとえば、ＣｏＭＰフィードバックレポート構成の総数は、一定数Ｎ2よりも大きくならないように制限され得る。構成されたＣＣの数ＮCCも考慮に入れられ得る。たとえば、ＣｏＭＰフィードバックレポート構成の数は、ＵＥが生成する必要があり得るＣＳＩプロセスの全数を制限するためにＮ2−ＮCCに制限され得る。
【００８７】
[0101]ＣｏＭＰが単一のＣＣ上で構成され得る、上記で説明した第２の代替を参照すると、構成可能ＣＳＩプロセスの全数は、ＣｏＭＰを用いて構成され得る１つのＣＣについて制限され得る。この制限は、構成されたＣＣの総数に依存し得る。
【００８８】
[0102]ＮＣＴとして構成されたＣＣは、干渉測定のためのＣｏＭＰ  ＩＭＲで構成され得る。ＮＣＴに関して、ＣＲＳは、あらゆるサブフレーム中に存在するとは限らないことがある。したがって、ＮＣＴでのＣＲＳに基づいて、干渉測定が可能でないことがある。（たとえば、上記で説明したように、第２の代替では、ＣｏＭＰは、多くとも１つのＣＣ上で構成され得るので）前に定義した、第２の代替はＮＣＴ  ＣＣの数を単一のキャリアに制限し得る。前に定義した、第３の代替は、ＮＣＴ動作をサポートすることと衝突し得る。
【００８９】
[0103]第２および第３の代替で複数のＮＣＴ  ＣＣをサポートするために、低減されたＵＥ複雑度の利益を維持しようと試みると同時に、ＮＣＴ  ＣＣ上のＣｏＭＰ構成はさらに制約され得る。たとえば、ＣｏＭＰはＮＣＴ  ＣＣ上で可能にされ得るが、そのようなＣＣ上のＣｏＭＰ動作は制限され得る。態様によれば、チャネル測定のための単一のＮＺＰ−ＣＳＩ−ＲＳリソースのみを可能にすること（すなわち、ＣｏＭＰ測定セットサイズ１）によって、ＣｏＭＰ動作は制限され得る。態様によれば、干渉測定のために、単一のＩＭＲ構成のみが可能にされ得る。したがって、そのＣＣ上のキャリアアグリゲーションのために必要とされるであろう単一のＣＳＩプロセスと複雑度において同様であるただ１つの可能なＣＳＩレポート構成があり得る。
【００９０】
[0104]第２の代替の場合、ＮＣＴ  ＣＣ上でＣｏＭＰが可能にされ得るが、ＣｏＭＰ動作は、（第２の代替が１つのＣＣ上の本格的なＣｏＭＰをサポートするので）「真の」ＣｏＭＰ動作のために指定されたＮＣＴ  ＣＣを除いてすべてのＮＣＴ  ＣＣ上で制限され得る。第３の代替の場合、上記の制限はすべてのＮＣＴ  ＣＣに対してかけられ得る。  
非周期ＣＳＩ（Ａ−ＣＳＩ：Aperiodic CSI）レポートのトリガリング
【００９１】
[0105]ＣＡにおけるＣＳＩレポートのトリガリングに関して、ＣＣのどのセットをレポートすべきかを選択するために、２ビットトリガがＲｅｌ−１０において使用され得る。２ビットは４つの組合せを与える。１ビットは、要求がない場合のために予約され得、１ビットは、サービングセルをレポートするために予約され得る。残りの２つの状態は、対応するトリガが受信されたときにレポートされるべきＣＣを含んでいる２つのＲＲＣ構成されたセットにリンクされる。
【００９２】
[0106]ＣｏＭＰにおけるＣＳＩレポートのトリガリングに関して、態様によれば、ＣｏＭＰレポートを選択するための２ビットトリガは「再利用」され得る。ＣｏＭＰとＣＡの両方が構成される場合にトリガを解釈することに関係する詳細は、さらなる研究のためであり得る。
【００９３】
[0107]本開示の態様によれば、ＣｏＭＰとＣＡの両方が構成された場合、「レポートセット」の概念が再利用され得る。２ビットトリガから生じる各トリガリングオプションは、Ｒｅｌ−１０と同様のレポートセットを識別し得る。ＣｏＭＰとＣＡの両方が構成された場合、各レポートセットは、（ＣＡレポートのための）ＣＣと（ＣｏＭＰレポートのための）ＣｏＭＰ  ＣＳＩレポート構成との組合せを識別し得る。したがって、ＣＡとＣｏＭＰの両方が構成されたとき、どのＣＳＩ情報がＵＥによってレポートされるべきであるかについてのあいまいさがないことがある。また、既存の２ビットトリガは、フレキシビリティの改善を可能にするために２ビットよりも多くのビットに拡張され得る。
【００９４】
[0108]ＣＡでは、サービングセルからＡ−ＣＳＩレポートをトリガするために、２ビットトリガの１つのコードポイントが予約される。ＣｏＭＰの場合、ＣＳＩレポートがサービングセルを必ずしも含む必要があるとは限らないので、これがどのＣｏＭＰ  ＣＳＩレポート構成に対応し得るかは明らかでない。態様によれば、１つの手法は、実際のサービングセルの代わりに、サービングセルのＣＣ上で定義された最も小さいインデックスをもつＣｏＭＰ  ＣＳＩ構成を常にトリガすることであり得る。別の手法は、Ａ−ＣＳＩレポートをトリガする許可がレガシーＰＤＣＣＨ上で受信されるのか、ｅＰＤＣＣＨ上で受信されるのかに依存する挙動を行うことである。
【００９５】
[0109]Ａ−ＣＳＩレポートをトリガする許可がレガシーＰＤＣＣＨ上で受信される場合、実際のサービングセルの代わりに、サービングセルのＣＣ上で定義された最も小さいインデックスをもつＣｏＭＰ  ＣＳＩ構成が使用され得る。Ａ−ＣＳＩレポートをトリガする許可がｅＰＤＣＣＨ上で受信される場合、ＵＥは、ｅＰＤＣＣＨが受信された仮想セルＩＤに一致するＣｏＭＰ  ＣＳＩフィードバック構成をレポートし得る。代替的に、ＰＵＳＣＨ仮想セルＩＤに対応するＣｏＭＰ  ＣＳＩフィードバック構成が選択され得る。
【００９６】
[0110]また別のオプションは、ＣｏＭＰ＋ＣＡのためのこの挙動をサポートしないことであり、代わりに、このコードポイントを、フィードバックレポートのために使用され得る第３のＲＲＣ構成されたセットにマッピングすることであり得る。上記のオプションはまた、３６．２１３において指定されているように、（２ビットの代わりに）１ビットトリガのみが許可中に存在する場合に使用され得る。
【００９７】
[0111]さらなるフレキシビリティを与えるために、ＣｏＭＰ＋ＣＡのためのレポートをトリガするための２ビットトリガの解釈は、ＣＣ依存および／または仮想セルＩＤ依存にされ得る。たとえば、別個のＲＲＣ構成されたセットはＣＣごとに定義され得る。Ａ−ＣＳＩトリガがどのＣＣ上で受信されるかに応じて、そのＣＣに対応するセットは使用され得る。別の態様では、ＲＲＣ構成されたセットは仮想セルＩＤごとに構成され得る。ｅＰＤＣＣＨがＡ−ＣＳＩレポートをトリガするためにどの仮想セルＩＤが使用されるかに応じて、その仮想セルＩＤに対応するセットが使用され得る。
【００９８】
[0112]態様によれば、ＰＤＣＣＨベースのトリガリングとｅＰＤＣＣＨベースのトリガリングとのために、異なるセットが、それぞれ定義され得る。ｅＰＤＣＣＨベースのトリガリングの場合、セットは、上記で説明したように仮想セルＩＤにさらに依存することができる。
【００９９】
[0113]フレキシビリティをさらに増加させるために、トリガリングは、さらに、レポートをトリガするＤＣＩフォーマットのタイプ、トリガがその上で受信されるサブフレームタイプ（たとえば、ＭＢＳＦＮ／非ＭＢＳＦＮ）および／またはＣＳＩサブフレームセットのファクタに応じて行われ得、探索空間は区分され得、セットは、一部はトリガが探索空間のどのパーティション上で復号されるかで判定され得る。  
周期ＣＳＩレポート
【０１００】
[0114]ＣｏＭＰとＣＡの両方の場合、周期フィードバックレポートは、それぞれ、ＣＣごとに、およびＣｏＭＰレポート構成ごとに独立して構成され得る。異なるフィードバックインスタンスのレポートが特定のサブフレーム中で衝突するとき、問題が起こる。Ｒｅｌ−１０では、レポートのうちのどれが削除される必要があるか（たとえば、ＲＩは、ＰＭＩ／ＣＱＩに勝る優先順位を有するなど）を判定するための優先順位付け（「レポートタイプ」によって行われる優先順位付け）が定義されている。同様の優先順位付けプロシージャがＣｏＭＰについて定義され得る。
【０１０１】
[0115]ＣｏＭＰとＣＡの両方が構成されたとき、既存の優先順位付けプロシージャはＣｏＭＰとＣＡとに個々に適用され得ないが、ＣｏＭＰとＣＡの両方にわたって適用され得る。すなわち、ＣｏＭＰフィードバックレポートインスタンスとＣＡフィードバックレポートインスタンスとが、あるサブフレーム中で偶然衝突した場合、異なる優先順位付けルールが使用され得る。同様に、新しい優先順位付けルールが定義された場合、たとえば、ＰＵＣＣＨフォーマット３と組み合わせて、これらのルールはまた、構成された場合にＣｏＭＰとＣＡの両方にわたって適用されるように拡張され得る。
【０１０２】
[0116]本開示の態様によれば、ＣｏＭＰとＣＡの両方が構成されたとき、同じ優先順位のレポートタイプがサブフレーム中で衝突した場合、両方は、それらの組み合わせられたペイロードがアップリンク送信フォーマットで適応され得る場合にレポートされ得る。両方が適応され得ない場合、優先順位付けルールは複数のレベルを含み得る。優先順位付けは、レポートタイプに従って行われ得る（たとえば、ＲＩ、ＰＭＩ、ＣＱＩ、態様によれば、ルールはＲｅｌ−１０から再利用され得る）。優先順位付けはＣＣインデックスまたはＣｏＭＰ  ＣＳＩ構成インデックスによって行われ得る。概して、これらの基準は何らかの順序で考慮され得る。
【０１０３】
[0117]一態様では、周期ＣＳＩレポートは、第１にレポートタイプによって優先順位を付けられ、第２に（ネットワークがＣＣのいずれかでＵＥをスケジュールする能力を保持することを保証するために有用であり得るＣＡレポートに何らかの優先順位を与える）ＣＣインデックスによって優先順位を付けられ、第３に、ＣｏＭＰ  ＣＳＩインデックスによって優先順位を付けられ得る。
【０１０４】
[0118]別の態様によれば、ネットワークは、ＣＣとＣｏＭＰ  ＣＳＩレポート構成とにわたる相対的優先順位でビットマップを構成し得る。レポートタイプは第１に考慮され得る。次いで、ＲＲＣ構成されたビットマップはタイブレーカーとして使用され得る。このようにして、周期ＣＳＩレポートは、ＣＣとＣｏＭＰ  ＣＳＩレポート構成とにわたって一緒に優先順位を付けられ得る。
【０１０５】
[0119]また別の態様によれば、同じサブフレーム中の複数のレポートタイプのフィードバックが（たとえば、ＰＵＣＣＨフォーマット３を使用することによって）サポートされる場合、ペイロードは複数の方法で判定され得る。たとえば、レポートは、単一のレポートタイプ（たとえば、衝突するレポートタイプの間で最高優先順位をもつレポートタイプ）に対応するＣＳＩ情報を含み得、残りのペイロードは、部分的な情報のみがレポートに適合し得るより優先順位の低いレポートタイプに割り振られないことがある。代替的に、最も大きい可能なペイロードは、常に使用され得、上記で説明した優先順位付けプロシージャに従って複数のレポートタイプの間で分割され得る。  
ＵＥ能力シグナリング
【０１０６】
[0120]態様によれば、ＵＥ能力シグナリングは、ＣｏＭＰとＣＡとのために一緒に実行され得る。たとえば、能力シグナリングは、第１、第２、および第３の代替において上記で説明したＣｏＭＰ＋ＣＡオプション間を区別する必要があり得る。
【０１０７】
[0121]第１の代替の場合、ＵＥは、ＣｏＭＰ＋ＣＡの間で共有され得るＸフィードバックインスタンスの総数をサポートし得る。たとえば、ＵＥが最高５つのフィードバックインスタンスをサポートする場合、それは、ＣＣ１上では最高３つのフィードバックインスタンスで構成され、ＣＣ２上では最高２つのフィードバックインスタンスで構成され得る。代替的に、それはＣＣ１上では４つのフィードバックインスタンスで構成されるが、ＣＣ２の上では１つのフィードバックインスタンスのみで構成されるなどであり得る。
【０１０８】
[0122]第２の代替の場合、ＵＥ能力は、ＣＣごとにサポートされるフィードバックインスタンスの総数を指定し得る。言い換えれば、フィードバックインスタンスは、ＣＣにわたって「共有」されないことがある。  
帯域幅依存ＵＥ能力シグナリング
【０１０９】
[0123]別の態様では、ＵＥ能力シグナリングは（たとえば、帯域幅組合せごとに）帯域幅依存であり得る。これは、ＣＳＩを計算することに関連する複雑度が帯域幅に近似的に比例する（すなわち、より大きい帯域幅をもつキャリアは、狭い帯域幅よりも多くの複雑度を必要とする）ので、重要であり得る。この関係は近似的にのみ成り立つが、それは、ＣＣの帯域幅とＣＣにわたるアグリゲート帯域幅とがＵＥ複雑度を判定する際の重要なファクタであり得ることを示唆する。
【０１１０】
[0124]図１４に、本開示のいくつかの態様による、たとえば、ＵＥ（たとえば、ＵＥ６５０）によって実行され得る例示的な動作１４００を示す。１４０２において、ＵＥは、多地点協調（ＣｏＭＰ）動作を使用する１つまたは複数の基地局（ＢＳ）との通信のためにＵＥによってサポートされる能力を示す、可能な構成の第１のセットから選択された１つまたは複数のＵＥ能力構成をシグナリングする。１４０４において、ＵＥは、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを受信する。１４０６において、ＵＥは、受信されたシグナリングに従って通信する。
【０１１１】
[0125]以下でより詳細に説明するように、可能な構成の第１のセットの構成の各々は、ＵＥによってサポートされるＣＳＩプロセスの最大数を示し得る。ＣＳＩプロセスの最大数は、ＣＣ上のネットワークによって構成され得るＣＳＩプロセスのアグリゲート数を制限し得るか、またはＣＳＩプロセスの最大数は、特定のコンポーネントキャリアのために構成され得るＣＳＩプロセスの数を制限し得る。
【０１１２】
[0126]図１５に、本開示のいくつかの態様による、たとえばＢＳ（たとえば、ＢＳ６１０）によって実行され得る例示的な動作１５００を示す。１５０２において、ＢＳは、ユーザ機器（ＵＥ）から１つまたは複数のＵＥ能力シグナリング構成を受信し、シグナリング構成が、多地点協調（ＣｏＭＰ）動作を使用する１つまたは複数のＢＳとの通信のためにＵＥによってサポートされる能力を示す可能な構成の第１のセットから選択される。１５０４において、ＢＳは、１つまたは複数のシグナリングされたＵＥ能力構成に少なくとも部分的に基づいて、ＵＥが１つまたは複数のコンポーネントキャリア（ＣＣ）上のＣｏＭＰ動作を使用して１つまたは複数のＢＳとどのように通信すべきかを定義する、可能な構成の第２のセットから選択された構成を示すシグナリングを送信する。
【０１１３】
[0127]以下でより詳細に説明するように、可能な構成の第１のセットの構成の各々は、ＵＥによってサポートされるＣＳＩプロセスの最大数を示し得る。態様によれば、ＣＳＩプロセスの最大数は、ＣＣ上のネットワークによって構成され得るＣＳＩプロセスのアグリゲート数を制限し得るか、またはＣＳＩプロセスの最大数は、特定のコンポーネントキャリアのために構成され得るＣＳＩプロセスの数を制限し得る。
【０１１４】
[0128]したがって、一態様では、サポートされるＣＳＩプロセスの数を示すＵＥ能力シグナリングは、帯域幅サポートを示すＵＥ能力シグナリングの一部として与えられ得る。たとえば、２つのＣＣの場合、シグナリングは、それぞれ１０ＭＨｚを用いて２つのＣＣのアグリゲーションについて、ＣＳＩプロセスの第１の数がサポートされることを示すことができる。しかしながら、２０ＭＨｚ＋２０ＭＨｚのアグリゲーションの場合、おそらく第１の数よりも小さい第２の数のＣＳＩプロセスがサポートされることになる。この例では、ＣＳＩプロセスのサポートされる数は、アグリゲート帯域幅に依存し得る。
【０１１５】
[0129]また別の態様では、上記のシグナリングは、さらに、アグリゲート帯域幅だけでなく、実際の帯域幅組合せにも依存し得る。たとえば、シグナリングは、それぞれ１０ＭＨｚをもつ２つのＣＣのアグリゲーションが第１の数のＣＳＩプロセスをサポートし得ることを示すことができる。しかしながら、５ＭＨｚと１５ＭＨｚとのアグリゲーションは、第１の数とは異なり得る第２の数のＣＳＩプロセスをサポートし得る。
【０１１６】
[0130]また別の態様では、ＣＳＩプロセスの数は、ＵＥ能力シグナリングの一部として与えられないことがあるが、代わりに、何らかの仕様に直接組み込まれるか、または何らかの他の手段によって与えられ得る。この場合、ＣｏＭＰ＋ＣＡのＵＥ能力シグナリングは、ＣｏＭＰ＋ＣＡ動作がサポートされるか否かのみをシグナリングし得る。上述のシナリオと同様に、このシグナリングは、アグリゲート帯域幅または実際の帯域幅組合せに依存することがある。たとえば、ＵＥは、１０ＭＨｚ＋１０ＭＨｚの場合のＣｏＭＰ＋ＣＡをサポートするが、５ＭＨｚ＋１５ＭＨｚの場合のＣｏＭＰ＋ＣＡをサポートしないことがある。  
ＣｏＭＰ＋ＣＡのための複数のタイミングアドバンストグループ（ＴＡＧ：Timing Advanced Group）
【０１１７】
[0131]Ｒｅｌ−１０では、単一のＴＡＧのみがサポートされる。したがって、ＵＬ送信タイミングは、ＵＥにおいてＣＡ中のすべてのＵＬ  ＣＣにわたって同期し得る。Ｒｅｌ−１１では、２つのＴＡＧがサポートされ、それによって、ＣＡ中のＣＣにわたる非同期ＵＬ送信タイミングを可能にする。
【０１１８】
[0132]ＣＡの場合、ＴＡＧを異なるセルに関連付けることは十分であり得る（たとえば、各ＴＡＧは、タイミングアドバンス（ＴＡ：timing advance）値を共有するアップリンクリソースをもつセルのセットを備える）。
【０１１９】
[0133]ＣｏＭＰ＋ＣＡサポートの場合、異なる仮想セルＩＤを備えるＴＡＧをサポートすること、たとえば、アップリンクＤＰＳをよりフレキシブルにサポートすることは有益であり得る。したがって、ＵＥが第１の仮想セルＩＤを用いて送信するとき、ＵＥは第１のＴＡＧを使用し得、ＵＥが第２の仮想セルＩＤを使用するとき、ＵＥは第２の構成されたＴＡＧを使用し得る。タイミングアドバンス保守機構は、ＣＡの場合のようにＴＡＧごとに存続し得る。  
電力優先順位付け
【０１２０】
[0134]現在、ＰＵＣＣＨ＞アップリンク制御情報（ＵＣＩ：uplink control information）がある場合のＰＵＳＣＨ＞ＰＵＳＣＨなど、電力優先順位付けが使用され得る。アップリンクＣｏＭＰ送信に優先順位を与えるために、さらなる優先順位付けが望まれ得る。ＵＥが電力制限に達した場合、ＵＥは、それの利用可能な電力バジェットに基づいて優先順位を付けなければならないことがある。例示的な電力優先順位付けは、ＰＵＣＣＨ＞ＵＣＩがある場合のＰＵＳＣＨ＞ＣｏＭＰがある場合のＰＵＳＣＨ＞ＣｏＭＰがない場合のＰＵＳＣＨであり得る。ＣｏＭＰに優先順位を与えることは、アップリンク送信が終了した場合に２つ以上のｅＮＢがリソースを解放することを可能にし得る。
【０１２１】
[0135]別の態様によれば、アップリンクサウンディングの場合、ＣｏＭＰがある場合のＳＲＳ＞ＣｏＭＰがない場合のＳＲＳの優先順位付けが望ましいことがある。これは、ＣｏＭＰが構成された場合にＳＲＳが２つ以上のセルに情報を与え得るので、望ましいことがある。
【０１２２】
ＰＵＳＣＨタイプ２ホッピング
【０１２３】
[0136]ＬＴＥは、セル固有パラメータのセットがホッピングの詳細を判定し得るＰＵＳＣＨタイプ２ホッピングをサポートする。パラメータは、サブバンドパラメータＮSB、ホッピングモード（たとえば、ｉｎｔｅｒＳｕｂＦｒａｍｅまたはｉｎｔｒａＳｕｂＦｒａｍｅ）、ならびにＰＵＳＣＨホッピングオフセットＮRBHOを含み得る。パラメータはセル固有ベースで構成され得る。
【０１２４】
[0137]個々の送信ポイントが、望むパラメータを別々に構成し得たことは、望ましいことがある。すなわち、各送信ポイントについて、上記パラメータのセットは別々に構成可能であり得る。しかしながら、ＵＥにおけるアップリンク送信ポイントの動的スイッチングがターゲットにされた場合、これは、そのような動作をサポートする送信ポイントに、同じパラメータのセットを使用するように強制し、それによって、フレキシビリティを制限し得る。
【０１２５】
[0138]この制限を回避するために、上記のパラメータのセットは仮想セルＩＤに結合され得る。この場合、ＵＥは、ＵＥがそれで動的に構成された仮想セルＩＤから上記のパラメータのセットを判定し得る。たとえば、ＵＥが第１の仮想セルＩＤで構成されたとき、それはホッピングパラメータの第１のセットを使用し得る。ＵＥが第２の仮想セルＩＤで構成されたとき、それはホッピングパラメータの第２のセットを使用し得る。各仮想セルＩＤを、場合によっては異なるパラメータセットに関連付けるマップは、ＲＲＣによってシグナリングされ得る。
【０１２６】
[0139]開示したプロセスにおけるステップの特定の順序または階層は、例示的な手法の一例であることを理解されたい。設計上の選好に基づいて、プロセス中のステップの特定の順序または階層は再構成され得ることを理解されたい。添付の方法クレームは、様々なステップの要素を例示的な順序で提示したものであり、提示された特定の順序または階層に限定されるものではない。
【０１２７】
[0140]以上の説明は、本明細書で説明された様々な態様を、当業者が実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
以下に、本願出願の当初の特許請求の範囲に記載された発明を付記する。
［Ｃ１］
ユーザ機器（ＵＥ）によるワイヤレス通信のための方法であって、
可能な構成のセットから、前記ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信することと、
前記構成に従って通信することと
を備える、方法。
［Ｃ２］
前記構成は、２つ以上のＣＣ上のＣｏＭＰ動作を可能にする、
［Ｃ１］に記載の方法。
［Ｃ３］
前記構成は、ＣｏＭＰ動作を単一のＣＣに制限する、
［Ｃ１］に記載の方法。
［Ｃ４］
前記単一のＣＣは、プライマリコンポーネントキャリア（ＰＣＣ）とセカンダリコンポーネントキャリア（ＳＣＣ）とのうちの少なくとも１つである、
［Ｃ３］に記載の方法。
［Ｃ５］
前記構成は、前記ＵＥがＣｏＭＰまたはキャリアアグリゲーション（ＣＡ）のうちの１つのみを利用して通信すべきであることを示す、
［Ｃ１］に記載の方法。
［Ｃ６］
構成可能チャネル状態情報（ＣＳＩ）レポートの数の指示を受信することをさらに備える、
［Ｃ１］に記載の方法。
［Ｃ７］
構成可能ＣＳＩレポートの前記数は、ＣＣ当たり１つに制限される、
［Ｃ６］に記載の方法。
［Ｃ８］
構成可能ＣＳＩレポートの前記数は、ＣｏＭＰを用いて構成されたＣＣについて制限される、
［Ｃ６］に記載の方法。
［Ｃ９］
ＣｏＭＰを用いて構成されない前記ＣＣのうちの少なくとも１つがＣＳＩフィードバックの目的のために干渉測定リソースを用いて構成されたことを示すシグナリングを受信することをさらに備える、
［Ｃ３］に記載の方法。
［Ｃ１０］
非周期チャネル状態情報（ＣＳＩ）レポートのための１つまたは複数のレポートセットを示すシグナリングを受信することと、
前記レポートセットのうちの少なくとも１つに従ってＣＳＩをレポートすることと
をさらに備える、［Ｃ１］に記載の方法。
［Ｃ１１］
各レポートセットは、キャリアアグリゲーションレポートのためのＣＣと、ＣｏＭＰレポートのためのＣｏＭＰ  ＣＳＩレポート構成との組合せを識別する、
［Ｃ１０］に記載の方法。
［Ｃ１２］
前記シグナリングは、マルチビットトリガフィールドを備える、
［Ｃ１０］に記載の方法。
［Ｃ１３］
レポートセットは、ＣＣまたは仮想セル識別情報に少なくとも部分的に基づく、
［Ｃ１０］に記載の方法。
［Ｃ１４］
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けることと、
前記優先順位付けに従ってＣＳＩをレポートすることと
をさらに備える、［Ｃ１］に記載の方法。
［Ｃ１５］
前記優先順位付けは、レポートタイプ、ＣＣインデックス、またはＣｏＭＰ  ＣＳＩ構成インデックスのうちの少なくとも１つに従って行われる、
［Ｃ１４］に記載の方法。
［Ｃ１６］
仮想セル識別情報に少なくとも部分的に基づいてアップリンク送信のための時間を選択することをさらに備える、
［Ｃ１］に記載の方法。
［Ｃ１７］
アップリンク電力優先順位付けを判定することと、
前記電力優先順位付けに基づいて送信電力を調整することと
をさらに備える、［Ｃ１］に記載の方法。
［Ｃ１８］
前記アップリンク電力優先順位付けを判定することは、アップリンクＣｏＭＰ送信に優先順位を与えることを備える、
［Ｃ１７］に記載の方法。
［Ｃ１９］
仮想セルＩＤに少なくとも部分的に基づいて送信ポイントホッピングパラメータを判定することをさらに備える、
［Ｃ１］に記載の方法。
［Ｃ２０］
基地局（ＢＳ）によるワイヤレス通信のための方法であって、
可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、
前記ＵＥに前記構成の指示をシグナリングすることと
を備える、方法。
［Ｃ２１］
前記構成は、２つ以上のＣＣ上のＣｏＭＰ動作を可能にする、
［Ｃ２０］に記載の方法。
［Ｃ２２］
前記構成は、ＣｏＭＰ動作を単一のＣＣに制限する、
［Ｃ２０］に記載の方法。
［Ｃ２３］
前記単一のＣＣは、プライマリコンポーネントキャリア（ＰＣＣ）とセカンダリコンポーネントキャリア（ＳＣＣ）とのうちの少なくとも１つである、
［Ｃ２２］に記載の方法。
［Ｃ２４］
前記構成は、前記ＵＥがＣｏＭＰまたはキャリアアグリゲーション（ＣＡ）のうちの１つのみを利用して通信すべきであることを示す、［Ｃ２０］に記載の方法。
［Ｃ２５］
構成可能チャネル状態情報（ＣＳＩ）レポートの数の指示を送信すること
をさらに備える、［Ｃ２０］に記載の方法。
［Ｃ２６］
前記構成可能ＣＳＩレポートの数がＣＣ当たり１つに制限される、［Ｃ２５］に記載の方法。
［Ｃ２７］
前記構成可能ＣＳＩレポートの数が、ＣｏＭＰを用いて構成されたＣＣについて制限される、［Ｃ２５］に記載の方法。
［Ｃ２８］
ＣｏＭＰを用いて構成されない前記ＣＣのうちの少なくとも１つがＣＳＩフィードバックの目的のために干渉測定リソースを用いて構成されたことを示すシグナリングを送信することをさらに備える、
［Ｃ２２］に記載の方法。
［Ｃ２９］
周期チャネル状態情報（ＣＳＩ）レポートのための１つまたは複数のレポートセットを示すシグナリングを送信することと、
前記レポートセットのうちの少なくとも１つに従ってＣＳＩを受信することと
をさらに備える、［Ｃ２０］に記載の方法。
［Ｃ３０］
各レポートセットは、キャリアアグリゲーションレポートのためのＣＣと、ＣｏＭＰレポートのためのＣｏＭＰ  ＣＳＩレポート構成との組合せのうちの少なくとも１つを識別する、
［Ｃ２９］に記載の方法。
［Ｃ３１］
前記シグナリングは、マルチビットトリガフィールドを備える、
［Ｃ２９］に記載の方法。
［Ｃ３２］
レポートセットがＣＣまたは仮想セル識別情報に少なくとも部分的に基づく、［Ｃ２９］に記載の方法。
［Ｃ３３］
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けることと、
前記優先順位付けに従ってＣＳＩを受信することと
をさらに備える、［Ｃ２０］に記載の方法。
［Ｃ３４］
前記優先順位付けは、レポートタイプ、ＣＣインデックス、またはＣｏＭＰ  ＣＳＩ構成インデックスのうちの少なくとも１つに従って行われる、
［Ｃ３３］に記載の方法。
［Ｃ３５］
仮想セル識別情報に少なくとも部分的に基づいてアップリンク送信を一度に受信すること
をさらに備える、［Ｃ２０］に記載の方法。
［Ｃ３６］
アップリンク電力優先順位付けに基づいてアップリンク送信を受信すること
をさらに備える、［Ｃ２０］に記載の方法。
［Ｃ３７］
前記アップリンク電力優先順位付けがアップリンクＣｏＭＰ送信に優先順位を与える、［Ｃ３６］に記載の方法。
［Ｃ３８］
仮想セルＩＤに少なくとも部分的に基づいて送信ポイントホッピングパラメータを構成すること
をさらに備える、［Ｃ２０］に記載の方法。
［Ｃ３９］
可能な構成のセットから、ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信するための手段と、
前記構成に従って通信するための手段と
を備える、ワイヤレス通信のための装置。
［Ｃ４０］
前記構成は、２つ以上のＣＣ上のＣｏＭＰ動作を可能にする、
［Ｃ３９］に記載の装置。
［Ｃ４１］
前記構成は、ＣｏＭＰ動作を単一のＣＣに制限する、
［Ｃ３９］に記載の装置。
［Ｃ４２］
前記単一のＣＣは、プライマリコンポーネントキャリア（ＰＣＣ）とセカンダリコンポーネントキャリア（ＳＣＣ）とのうちの少なくとも１つである、
［Ｃ４１］に記載の装置。
［Ｃ４３］
前記構成は、前記ＵＥがＣｏＭＰまたはキャリアアグリゲーション（ＣＡ）のうちの１つのみを利用して通信すべきであることを示す、
［Ｃ３９］に記載の装置。
［Ｃ４４］
構成可能チャネル状態情報（ＣＳＩ）レポートの数の指示を受信するための手段をさらに備える、
［Ｃ３９］に記載の装置。
［Ｃ４５］
前記構成可能ＣＳＩレポートの数は、ＣＣ当たり１つに制限される、
［Ｃ４４］に記載の装置。
［Ｃ４６］
前記構成可能ＣＳＩレポートの数は、ＣｏＭＰを用いて構成されたＣＣについて制限される、
［Ｃ４４］に記載の装置。
［Ｃ４７］
ＣｏＭＰを用いて構成されない前記ＣＣのうちの少なくとも１つがＣＳＩフィードバックの目的のために干渉測定リソースを用いて構成されたことを示すシグナリングを受信するための手段をさらに備える、
［Ｃ４１］に記載の装置。
［Ｃ４８］
非周期チャネル状態情報（ＣＳＩ）レポートのための１つまたは複数のレポートセットを示すシグナリングを受信するための手段と、
前記レポートセットのうちの少なくとも１つに従ってＣＳＩをレポートするための手段と
をさらに備える、［Ｃ３９］に記載の装置。
［Ｃ４９］
各レポートセットは、キャリアアグリゲーションレポートのためのＣＣと、ＣｏＭＰレポートのためのＣｏＭＰ  ＣＳＩレポート構成との組合せを識別する、
［Ｃ４８］に記載の装置。
［Ｃ５０］
前記シグナリングは、マルチビットトリガフィールドを備える、
［Ｃ４８］に記載の装置。
［Ｃ５１］
レポートセットは、ＣＣまたは仮想セル識別情報に少なくとも部分的に基づく、
［Ｃ４８］に記載の装置。
［Ｃ５２］
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けるための手段と、
前記優先順位付けに従ってＣＳＩをレポートするための手段と
をさらに備える、［Ｃ３９］に記載の装置。
［Ｃ５３］
前記優先順位付けのための手段は、レポートタイプ、ＣＣインデックス、またはＣｏＭＰ  ＣＳＩ構成インデックスのうちの少なくとも１つに従って行われる、
［Ｃ５２］に記載の装置。
［Ｃ５４］
仮想セル識別情報に少なくとも部分的に基づいてアップリンク送信のための時間を選択するための手段をさらに備える、
［Ｃ３９］に記載の装置。
［Ｃ５５］
アップリンク電力優先順位付けを判定することと、
前記電力優先順位付けに基づいて送信電力を調整することと
をさらに備える、［Ｃ３９］に記載の装置。
［Ｃ５６］
前記アップリンク電力優先順位付けを判定することは、アップリンクＣｏＭＰ送信に優先順位を与えることを備える、
［Ｃ５５］に記載の装置。
［Ｃ５７］
仮想セルＩＤに少なくとも部分的に基づいて送信ポイントホッピングパラメータを判定することをさらに備える、
［Ｃ３９］に記載の装置。
［Ｃ５８］
可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択するための手段と、
前記ＵＥに前記構成の指示をシグナリングするための手段と
を備える、ワイヤレス通信のための装置。
［Ｃ５９］
前記構成は、２つ以上のＣＣ上のＣｏＭＰ動作を可能にする、
［Ｃ５８］に記載の装置。
［Ｃ６０］
前記構成は、ＣｏＭＰ動作を単一のＣＣに制限する、
［Ｃ５８］に記載の装置。
［Ｃ６１］
前記単一のＣＣがプライマリコンポーネントキャリア（ＰＣＣ）とセカンダリコンポーネントキャリア（ＳＣＣ）とのうちの少なくとも１つである、
［Ｃ６０］に記載の装置。
［Ｃ６２］
前記構成は、前記ＵＥがＣｏＭＰまたはキャリアアグリゲーション（ＣＡ）のうちの１つのみを利用して通信すべきであることを示す、
［Ｃ５８］に記載の装置。
［Ｃ６３］
構成可能チャネル状態情報（ＣＳＩ）レポートの数の指示を送信するための手段をさらに備える、
［Ｃ５８］に記載の装置。
［Ｃ６４］
前記構成可能ＣＳＩレポートの数は、ＣＣ当たり１つに制限される、
［Ｃ６３］に記載の装置。
［Ｃ６５］
前記構成可能ＣＳＩレポートの数は、ＣｏＭＰを用いて構成されたＣＣについて制限される、
［Ｃ６３］に記載の装置。
［Ｃ６６］
ＣｏＭＰを用いて構成されない前記ＣＣのうちの少なくとも１つがＣＳＩフィードバックの目的のために干渉測定リソースを用いて構成されたことを示すシグナリングを送信するための手段をさらに備える、
［Ｃ６０］に記載の装置。
［Ｃ６７］
周期チャネル状態情報（ＣＳＩ）レポートのための１つまたは複数のレポートセットを示すシグナリングを送信するための手段と、
前記レポートセットのうちの少なくとも１つに従ってＣＳＩを受信するための手段と
をさらに備える、［Ｃ５８］に記載の装置。
［Ｃ６８］
各レポートセットは、キャリアアグリゲーションレポートのためのＣＣと、ＣｏＭＰレポートのためのＣｏＭＰ  ＣＳＩレポート構成との組合せのうちの少なくとも１つを識別する、
［Ｃ６７］に記載の装置。
［Ｃ６９］
前記シグナリングは、マルチビットトリガフィールドを備える、
［Ｃ６７］に記載の装置。
［Ｃ７０］
レポートセットは、ＣＣまたは仮想セル識別情報に少なくとも部分的に基づく、
［Ｃ６７］に記載の装置。
［Ｃ７１］
ＣｏＭＰとキャリアアグリゲーション（ＣＡ）とのうちの少なくとも１つのインスタンスがサブフレーム中で衝突する場合、チャネル状態情報（ＣＳＩ）レポートに優先順位を付けるための手段と、
前記優先順位付けに従ってＣＳＩを受信するための手段と
をさらに備える、［Ｃ５８］に記載の装置。
［Ｃ７２］
前記優先順位付けは、レポートタイプ、ＣＣインデックス、またはＣｏＭＰ  ＣＳＩ構成インデックスのうちの少なくとも１つに従って行われる、
［Ｃ７１］に記載の装置。
［Ｃ７３］
仮想セル識別情報に少なくとも部分的に基づいてアップリンク送信を一度に受信するための手段
をさらに備える、［Ｃ５８］に記載の装置。
［Ｃ７４］
アップリンク電力優先順位付けに基づいてアップリンク送信を受信するための手段をさらに備える、
［Ｃ５８］に記載の装置。
［Ｃ７５］
前記アップリンク電力優先順位付けは、アップリンクＣｏＭＰ送信に優先順位を与える、
［Ｃ７４］に記載の装置。
［Ｃ７６］
仮想セルＩＤに少なくとも部分的に基づいて送信ポイントホッピングパラメータを構成するための手段をさらに備える、
［Ｃ５８］に記載の装置。
［Ｃ７７］
ユーザ機器（ＵＥ）によるワイヤレス通信のための装置であって、
可能な構成のセットから、前記ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信することと、
前記構成に従って通信することと
を行うように構成された少なくとも１つのプロセッサと、
前記少なくとも１つのプロセッサに結合されたメモリと
を備える、装置。
［Ｃ７８］
基地局（ＢＳ）によるワイヤレス通信のための装置であって、
可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、
前記ＵＥに前記構成の指示をシグナリングすることと
を行うように構成された少なくとも１つのプロセッサと、
前記少なくとも１つのプロセッサに結合されたメモリと
を備える、装置。
［Ｃ７９］
ユーザ機器（ＵＥ）によるワイヤレス通信のためのコンピュータプログラム製品であって、前記コンピュータプログラム製品が、コードを記憶した非一時的コンピュータ可読媒体を備え、前記コードは、
可能な構成のセットから、前記ＵＥが１つまたは複数のコンポーネントキャリア（ＣＣ）上の多地点協調（ＣｏＭＰ）動作を使用して１つまたは複数の基地局（ＢＳ）とどのように通信すべきかを定義する構成を示すシグナリングを受信することと、
前記構成に従って通信することと
を行うために１つまたは複数のプロセッサによって実行可能である、コンピュータプログラム製品。
［Ｃ８０］
基地局（ＢＳ）によるワイヤレス通信のためのコンピュータプログラム製品であって、前記コンピュータプログラム製品が、コードを記憶した非一時的コンピュータ可読媒体を備え、前記コードは、
可能な構成のセットから、ユーザ機器（ＵＥ）が１つまたは複数のコンポーネントキャリア（ＣＣ）上の多地点協調（ＣｏＭＰ）動作を使用して１つまたは複数の基地局（ＢＳ）とどのように通信すべきかを定義する構成を選択することと、
前記ＵＥに前記構成の指示をシグナリングすることと
を行うために１つまたは複数のプロセッサによって実行可能である、コンピュータプログラム製品。
［Ｃ８１］
ユーザ機器（ＵＥ）によるワイヤレス通信のための方法であって、
多地点協調（ＣｏＭＰ）動作を使用する１つまたは複数の基地局（ＢＳ）との通信のために前記ＵＥによってサポートされる能力を示す、可能な構成の第１のセットから選択された１つまたは複数のＵＥ能力構成をシグナリングすることと、
前記１つまたは複数のシグナリングされたＵＥ能力構成に少なくとも部分的に基づいて、前記ＵＥが１つまたは複数のコンポーネントキャリア（ＣＣ）上のＣｏＭＰ動作を使用して前記１つまたは複数のＢＳとどのように通信すべきかを定義する、可能な構成の第２のセットから選択された構成を示すシグナリングを受信することと、
前記受信されたシグナリングに従って通信することと
を備える、方法。
［Ｃ８２］
前記可能な構成の第１のセットの前記構成の各々は、前記ＵＥによってサポートされるチャネル状態情報（ＣＳＩ）プロセスの最大数を示す、
［Ｃ８１］に記載の方法。
［Ｃ８３］
前記ＣＳＩプロセスの最大数は、ＣＣにわたるネットワークによって構成され得るＣＳＩプロセスのアグリゲート数を制限する、
［Ｃ８２］に記載の方法。
［Ｃ８４］
前記ＣＳＩプロセスの最大数は、特定のコンポーネントキャリアのために構成され得るＣＳＩプロセスの数を制限する、
［Ｃ８２］に記載の方法。
［Ｃ８５］
基地局（ＢＳ）によるワイヤレス通信のための方法であって、
ユーザ機器（ＵＥ）から１つまたは複数のＵＥ能力シグナリング構成を受信することと、前記シグナリング構成は、多地点協調（ＣｏＭＰ）動作を使用する１つまたは複数のＢＳとの通信のために前記ＵＥによってサポートされる能力を示す可能な構成の第１のセットから選択される、
前記１つまたは複数のシグナリングされたＵＥ能力構成に少なくとも部分的に基づいて、前記ＵＥが１つまたは複数のコンポーネントキャリア（ＣＣ）上のＣｏＭＰ動作を使用して前記１つまたは複数のＢＳとどのように通信すべきかを定義する、可能な構成の第２のセットから選択された構成を示すシグナリングを送信することと
を備える、方法。
［Ｃ８６］
前記可能な構成の第１のセットの前記構成の各々は、前記ＵＥによってサポートされるチャネル状態情報（ＣＳＩ）プロセスの最大数を示す、
［Ｃ８５］に記載の方法。
［Ｃ８７］
前記ＣＳＩプロセスの最大数は、ＣＣにわたるネットワークによって構成され得るＣＳＩプロセスのアグリゲート数を制限する、
［Ｃ８６］に記載の方法。
［Ｃ８８］
前記ＣＳＩプロセスの最大数は、特定のコンポーネントキャリアのために構成され得るＣＳＩプロセスの数を制限する、
［Ｃ８６］に記載の方法。
［Ｃ８９］
多地点協調（ＣｏＭＰ）動作を使用する１つまたは複数の基地局（ＢＳ）との通信のためにＵＥによってサポートされる能力を示す、可能な構成の第１のセットから選択された１つまたは複数のＵＥ能力構成をシグナリングするための手段と、
前記１つまたは複数のシグナリングされたＵＥ能力構成に少なくとも部分的に基づいて、前記ＵＥが１つまたは複数のコンポーネントキャリア（ＣＣ）上のＣｏＭＰ動作を使用して前記１つまたは複数のＢＳとどのように通信すべきかを定義する、可能な構成の第２のセットから選択された構成を示すシグナリングを受信するための手段と、
前記受信されたシグナリングに従って通信するための手段と
を備える、ワイヤレス通信のための装置。
［Ｃ９０］
前記可能な構成の第１のセットの前記構成の各々が、前記ＵＥによってサポートされるチャネル状態情報（ＣＳＩ）プロセスの最大数を示す、
［Ｃ８９］に記載の装置。
［Ｃ９１］
前記ＣＳＩプロセスの最大数は、ＣＣにわたるネットワークによって構成され得るＣＳＩプロセスのアグリゲート数を制限する、
［Ｃ９０］に記載の装置。
［Ｃ９２］
前記ＣＳＩプロセスの最大数は、特定のコンポーネントキャリアのために構成され得るＣＳＩプロセスの数を制限する、
［Ｃ９０］に記載の装置。
［Ｃ９３］
ユーザ機器（ＵＥ）から１つまたは複数のＵＥ能力シグナリング構成を受信するための手段と、ここにおいて、前記シグナリング構成は、多地点協調（ＣｏＭＰ）動作を使用する１つまたは複数のＢＳとの通信のために前記ＵＥによってサポートされる能力を示す可能な構成の第１のセットから選択される、
前記１つまたは複数のシグナリングされたＵＥ能力構成に少なくとも部分的に基づいて、前記ＵＥが１つまたは複数のコンポーネントキャリア（ＣＣ）上のＣｏＭＰ動作を使用して前記１つまたは複数のＢＳとどのように通信すべきかを定義する、可能な構成の第２のセットから選択された構成を示すシグナリングを送信するための手段と
を備える、ワイヤレス通信のための装置。
［Ｃ９４］
前記可能な構成の第１のセットの前記構成の各々は、前記ＵＥによってサポートされるチャネル状態情報（ＣＳＩ）プロセスの最大数を示す、
［Ｃ９３］に記載の装置。
［Ｃ９５］
前記ＣＳＩプロセスの最大数は、ＣＣにわたるネットワークによって構成され得るＣＳＩプロセスのアグリゲート数を制限する、
［Ｃ９４］に記載の装置。
［Ｃ９６］
前記ＣＳＩプロセスの最大数は、特定のコンポーネントキャリアのために構成され得るＣＳＩプロセスの数を制限する、
［Ｃ９４］に記載の装置。
［Ｃ９７］
ユーザ機器（ＵＥ）によるワイヤレス通信のための装置であって、
多地点協調（ＣｏＭＰ）動作を使用する１つまたは複数の基地局（ＢＳ）との通信のために前記ＵＥによってサポートされる能力を示す、可能な構成の第１のセットから選択された１つまたは複数のＵＥ能力構成をシグナリングすることと、
前記１つまたは複数のシグナリングされたＵＥ能力構成に少なくとも部分的に基づいて、前記ＵＥが１つまたは複数のコンポーネントキャリア（ＣＣ）上のＣｏＭＰ動作を使用して前記１つまたは複数のＢＳとどのように通信すべきかを定義する、可能な構成の第２のセットから選択された構成を示すシグナリングを受信することと、
前記受信されたシグナリングに従って通信することと
を行うように構成された少なくとも１つのプロセッサと、
前記少なくとも１つのプロセッサに結合されたメモリと
を備える、装置。
［Ｃ９８］
基地局（ＢＳ）によるワイヤレス通信のための装置であって、
ユーザ機器（ＵＥ）から１つまたは複数のＵＥ能力シグナリング構成を受信することと、ここにおいて、前記シグナリング構成は、多地点協調（ＣｏＭＰ）動作を使用する１つまたは複数のＢＳとの通信のために前記ＵＥによってサポートされる能力を示す可能な構成の第１のセットから選択される、
前記１つまたは複数のシグナリングされたＵＥ能力構成に少なくとも部分的に基づいて、前記ＵＥが１つまたは複数のコンポーネントキャリア（ＣＣ）上のＣｏＭＰ動作を使用して前記１つまたは複数のＢＳとどのように通信すべきかを定義する、可能な構成の第２のセットから選択された構成を示すシグナリングを送信することと
を行うように構成された少なくとも１つのプロセッサと、
前記少なくとも１つのプロセッサに結合されたメモリと
を備える、装置。
［Ｃ９９］
ユーザ機器（ＵＥ）によるワイヤレス通信のためのコンピュータプログラム製品であって、前記コンピュータプログラム製品は、コードを記憶した非一時的コンピュータ可読媒体を備え、前記コードは、
多地点協調（ＣｏＭＰ）動作を使用する１つまたは複数の基地局（ＢＳ）との通信のために前記ＵＥによってサポートされる能力を示す、可能な構成の第１のセットから選択された１つまたは複数のＵＥ能力構成をシグナリングすることと、
前記１つまたは複数のシグナリングされたＵＥ能力構成に少なくとも部分的に基づいて、前記ＵＥが１つまたは複数のコンポーネントキャリア（ＣＣ）上のＣｏＭＰ動作を使用して前記１つまたは複数のＢＳとどのように通信すべきかを定義する、可能な構成の第２のセットから選択された構成を示すシグナリングを受信することと、
前記受信されたシグナリングに従って通信することと
を行うために１つまたは複数のプロセッサによって実行可能である、コンピュータプログラム製品。
［Ｃ１００］
基地局（ＢＳ）によるワイヤレス通信のためのコンピュータプログラム製品であって、前記コンピュータプログラム製品は、コードを記憶した非一時的コンピュータ可読媒体を備え、前記コードは、
ユーザ機器（ＵＥ）から１つまたは複数のＵＥ能力シグナリング構成を受信することと、ここにおいて、前記シグナリング構成が、多地点協調（ＣｏＭＰ）動作を使用する１つまたは複数のＢＳとの通信のために前記ＵＥによってサポートされる能力を示す可能な構成の第１のセットから選択される、
前記１つまたは複数のシグナリングされたＵＥ能力構成に少なくとも部分的に基づいて、前記ＵＥが１つまたは複数のコンポーネントキャリア（ＣＣ）上のＣｏＭＰ動作を使用して前記１つまたは複数のＢＳとどのように通信すべきかを定義する、可能な構成の第２のセットから選択された構成を示すシグナリングを送信することと
を行うために１つまたは複数のプロセッサによって実行可能である、コンピュータプログラム製品。
【図１】
0006449150.tif 000002
【図２】
0006449150.tif 000003
【図３】
0006449150.tif 000004
【図４】
0006449150.tif 000005
【図５】
0006449150.tif 000006
【図６】
0006449150.tif 000007
【図７】
0006449150.tif 000008
【図８】
0006449150.tif 000009
【図９】
0006449150.tif 000010
【図１０】
0006449150.tif 000011
【図１１】
0006449150.tif 000012
【図１２】
0006449150.tif 000013
【図１３】
0006449150.tif 000014
【図１４】
0006449150.tif 000015
【図１５】
0006449150.tif 000016